(57)【要約】  複数の観点において、マルチプルの変調波形を使用する無線通信システムにおけるアクセス端末の電力レベルを制御することが記載されている。該電力は、アクセスプローブに応答してアクセス許可が受信された後、移動装置が定常状態に移行するまで、制御されることができる。基準電力が変わったときのみ、電力増幅器の設定を変更することができ、基準電力を連続的に監視することができる。逆方向データチャネルのディジタル利得は、該基準電力レベルに関して調整され得る。
2010523060.tif 000002
【特許請求の範囲】
【請求項１】
無線通信システムで使用される少なくとも２つの変調波形の電力制御を提供するための方法であって、
開ループ電力制御および閉ループ電力制御を使用して第１の変調波形の逆方向リンク制御チャネルの基準電力レベルを設定すること、
前記基準電力レベルに関して第２の変調波形の逆方向リンク制御チャネルのディジタル利得を調整すること、および
前記基準電力レベルに関して前記第２の変調波形の逆方向リンクデータチャネルのディジタル利得を調整することを備える方法。
【請求項２】
開ループ電力制御を使用して前記第１の変調波形の前記逆方向リンク制御チャネルの前記基準電力レベルを設定することが、
連続するスーパーフレームプリアンブルインターバル中の逆方向リンクサービングセクタからの平均受信電力の差を使用することを備える、請求項１に記載の方法。
【請求項３】
閉ループ電力制御を使用して前記第１の変調波形の前記逆方向リンク制御チャネルの前記基準電力レベルを設定することが、
前記基準電力レベルを更新するためにアクセスポイントから受信した消去ビットを使用することを備える、請求項１に記載の方法。
【請求項４】
閉ループ電力制御を使用して前記第１の変調波形の前記逆方向リンク制御チャネルの前記基準電力レベルを設定することが、
前記基準電力レベルを更新するためにアクセスポイントから受信したアップダウン電力制御ビットを使用することを備える、請求項１に記載の方法。
【請求項５】
開ループ電力制御および閉ループ電力制御を使用して前記第１の変調波形の前記逆方向リンク制御チャネルの前記基準電力レベルを設定することが、ＰＣＴＲＬ＝プローブ電力＋ＣｔｒｌＡｃｃｅｓｓＯｆｆｓｅｔによって与えられる、請求項１に記載の方法。
【請求項６】
前記第２の変調波形の前記逆方向リンクデータチャネルの前記ディジタル利得が、逆方向リンクデータチャネル利得に比例するファクタによって調整される、請求項１に記載の方法。
【請求項７】
前記第２の変調波形の前記逆方向リンクデータチャネルの前記ディジタル利得が、逆方向リンクマルチプル変調波形送信機のＩＦＦＴ段階の前の変調器ブロックにおいて適用される、請求項６に記載の方法。
【請求項８】
前記第２の変調波形の前記逆方向リンク制御チャネルの前記ディジタル利得が、逆方向リンク制御チャネル利得に比例するファクタによって調整される、請求項１に記載の方法。
【請求項９】
前記第２の変調波形の前記逆方向リンク制御チャネルの前記ディジタル利得が、逆方向リンクマルチプル変調波形送信機のＩＦＦＴ段階の前の変調器ブロックにおいて適用される、請求項８に記載の方法。
【請求項１０】
前記基準電力レベルが、ディジタル−アナログ変換器、アナログフロントエンド、および電力増幅器の設定を調整することによって更新される、請求項１に記載の方法。
【請求項１１】
前記第２の変調波形の前記逆方向リンクデータチャネルの前記ディジタル利得、および前記第２の変調波形の前記逆方向リンク制御チャネルの前記ディジタル利得は、前記第１の変調波形の前記逆方向リンク制御チャネルが逆方向リンク伝送フレームに存在しない場合、電力ブーストされる、請求項１に記載の方法。
【請求項１２】
前記第２の変調波形の前記逆方向リンクデータチャネルの前記ディジタル利得、および前記第２の変調波形の前記逆方向リンク制御チャネルの前記ディジタル利得が、前記無線通信システム内で生成された干渉を軽減するために、最大所定利得に限定される、請求項１に記載の方法。
【請求項１３】
下記をさらに備える、請求項１に記載の方法、
送信されることができる最大数の逆方向リンクデータ副搬送波についての詳細を含む帯域内または帯域外のメッセージを送信すること、ここにおいて前記最大数の逆方向リンクデータ副搬送波は電力増幅器制限および最大所定利得制限をかけられる。
【請求項１４】
開ループ電力制御および閉ループ電力制御を使用して第１の変調波形の逆方向リンク制御チャネルの基準電力レベルを設定すること、前記基準電力レベルの関数として第２の変調波形の逆方向リンク制御チャネルのディジタル利得を調整すること、および前記基準電力レベルの関数として前記第２の変調波形の逆方向リンクデータチャネルのディジタル利得を調整することに関する複数の命令を保持するメモリ、および
前記メモリに結合され、前記メモリ内に保持されている前記複数の命令を実行するよう構成されるプロセッサ
を備える無線通信装置。
【請求項１５】
前記メモリが、連続するスーパーフレームプリアンブルインターバル中の逆方向リンクサービングセクタからの平均受信電力の差を使用することに関する複数の命令をさらに保持する、請求項１４に記載の無線通信装置。
【請求項１６】
前記メモリが、前記基準電力レベルを更新するために、アクセスポイントから受信された消去ビットを使用することに関する複数の命令をさらに保持する、請求項１４に記載の無線通信装置。
【請求項１７】
前記メモリが、前記基準電力レベルを更新するために、アクセスポイントから受信されたアップダウン電力制御ビットを使用することに関する複数の命令をさらに保持する、請求項１４に記載の無線通信装置。
【請求項１８】
開ループ電力制御および閉ループ電力制御を使用して前記第１の変調波形の逆方向リンク制御チャネルの基準電力レベルを設定することが、ＰＣＴＲＬ＝プローブ電力＋ＣｔｒｌＡｃｃｅｓｓＯｆｆｓｅｔによって与えられる、請求項１４に記載の無線通信装置。
【請求項１９】
前記第２の変調波形の前記逆方向リンクデータチャネルの前記ディジタル利得が、逆方向リンクデータチャネル利得に比例するファクタによって調整される、請求項１４に記載の無線通信装置。
【請求項２０】
前記第２の変調波形の前記逆方向リンクデータチャネルの前記ディジタル利得が、逆方向リンクマルチ変調波形送信機のＩＦＦＴ段階の前の変調器ブロックにおいて適用される、請求項１９に記載の無線通信装置。
【請求項２１】
前記第２の変調波形の前記逆方向リンク制御チャネルの前記ディジタル利得が、逆方向リンク制御チャネル利得に比例するファクタによって調整される、請求項１４に記載の無線通信装置。
【請求項２２】
前記第２の変調波形の前記逆方向リンク制御チャネルの前記ディジタル利得が、逆方向リンクマルチプル変調波形送信機のＩＦＦＴ段階の前の変調器ブロックにおいて適用される、請求項２１に記載の無線通信装置。
【請求項２３】
前記基準電力レベルが、ディジタル−アナログ変換器、アナログフロントエンド、および電力増幅器の設定を調整することによって更新される、請求項１４に記載の無線通信装置。
【請求項２４】
前記第２の変調波形の前記逆方向リンクデータチャネルの前記ディジタル利得、および前記第２の変調波形の前記逆方向リンク制御チャネルの前記ディジタル利得は、前記第１の変調波形チャネルの前記逆方向リンク制御チャネルが逆方向リンク伝送フレームに存在しない場合、電力ブーストされる、請求項１４に記載の無線通信装置。
【請求項２５】
前記第２の変調波形の前記逆方向リンクデータチャネルの前記ディジタル利得、および前記第２の変調波形の前記逆方向リンク制御チャネルの前記ディジタル利得が、前記無線通信システム内で生成された干渉を軽減するために、最大所定利得に限定される、請求項１４に記載の無線通信装置。
【請求項２６】
前記メモリが、送信されることができる最大数の逆方向リンクデータ副搬送波についての詳細を含む帯域内または帯域外のメッセージを送信することに関する複数の命令をさらに保持し、ここにおいて前記最大数の逆方向リンクデータ副搬送波が、電力増幅器制限および最大所定利得制限をかけられる、請求項１４に記載の無線通信装置。
【請求項２７】
電力制御を容易にする無線通信装置であって、
開ループ電力制御および閉ループ電力制御を使用して第１の変調波形の逆方向リンク制御チャネルの基準電力レベルを設定するための手段、
前記基準電力レベルに関して第２の変調波形の逆方向リンク制御チャネルのディジタル利得を調整するための手段、および
前記基準電力レベルに関して前記第２の変調波形の逆方向リンクデータチャネルのディジタル利得を変更するための手段
を備える無線通信装置。
【請求項２８】
連続するスーパーフレームプリアンブルインターバル中の逆方向リンクサービングセクタからの平均受信電力の差を使用するための手段
をさらに備える、請求項２７に記載の無線通信装置。
【請求項２９】
前記基準電力レベルを更新するためにアクセスポイントから受信された消去ビットを使用するための手段
をさらに備える、請求項２７に記載の無線通信装置。
【請求項３０】
前記基準電力レベルを更新するためにアクセスポイントから受信されたアップダウン電力制御ビットを使用するための手段
をさらに備える、請求項２７に記載の無線通信装置。
【請求項３１】
開ループ電力制御および閉ループ電力制御を使用して前記第１の変調波形の逆方向リンク制御チャネルの基準電力レベルを設定するための前記手段が、ＰＣＴＲＬ＝プローブ電力＋ＣｔｒｌＡｃｃｅｓｓＯｆｆｓｅｔによって与えられる、請求項２７に記載の無線通信装置。
【請求項３２】
前記第２の変調波形の前記逆方向リンクデータチャネルの前記ディジタル利得が、逆方向リンクデータチャネル利得に比例するファクタによって調整される、請求項２７に記載の無線通信装置。
【請求項３３】
前記第２の変調波形の前記逆方向リンク制御チャネルの前記ディジタル利得が、逆方向リンク制御チャネル利得に比例するファクタによって調整される、請求項２７に記載の無線通信装置。
【請求項３４】
下記のための複数の機械実行可能命令を格納する機械可読媒体：
アクセスプローブを送信すること、
単一セクタからの受信電力を決定すること、
第１の変調波形の逆方向リンク制御チャネルの基準電力を設定すること、
前記基準電力の関数として第２の変調波形の逆方向リンク制御チャネルのディジタル利得を変更すること、および
前記基準電力の関数として前記第２の変調波形の逆方向リンクデータチャネルのディジタル利得を変更すること。
【請求項３５】
前記複数の命令が、下記をさらに備える、請求項３４に記載の機械可読媒体：
前記基準電力を監視すること、
前記基準電力が異なるかどうかを決定すること、および
前記基準電力が異なる場合、電力増幅器設定を変更すること。
【請求項３６】
前記複数の命令が、消去ベースの閉ループ電力制御またはアップダウンベースの閉ループ電力制御のうちの少なくとも一つを使用して、前記第１の変調波形の前記逆方向リンク制御チャネルの前記基準電力を設定することをさらに備える、請求項３４に記載の機械可読媒体。
【請求項３７】
無線通信システムにおいて、下記を行うために構成されたプロセッサを備える装置：
開ループ電力制御および閉ループ電力制御を使用して第１の変調波形の逆方向リンク制御チャネルの基準電力レベルを設定すること、
前記基準電力レベルに応じて、第２の変調波形の逆方向リンク制御チャネルのディジタル利得を調整すること、
前記基準電力レベルに応じて、前記第２の変調波形の逆方向リンクデータチャネルのディジタル利得を調整すること。
【発明の詳細な説明】
【関連技術】
【０００１】
［相互参照］
本出願は、本出願の譲受人に譲渡され、その全体が参照により本明細書に組み込まれる、２００７年３月２６日出願の「DIGITAL AND ANALOG POWER CONTROL FOR AN OFDMA/CDMA ACCESS TERMINAL」という名称の米国特許仮出願第６０／８９６，９７５号明細書の利益を主張する。
【技術分野】
【０００２】
以下の記述は、一般に無線通信システムに関し、より詳細には、マルチチャネルアクセス端末のための電力制御に関する。
【背景技術】
【０００３】
無線通信システムは、音声、データなど、様々なタイプの通信コンテンツを提供するために、広く配備されている。これらのシステムは、使用可能なシステムリソース（例えば帯域幅や送信電力など）を共有することによって複数のユーザとの通信をサポートすることができる多元接続システムとすることができる。多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムなどがある。
【０００４】
一般に、無線多元接続通信システムは、複数の無線端末の通信を同時にサポートすることができる。各端末は、順方向リンクおよび逆方向リンク上の伝送を介して１つまたは複数の基地局と通信する。順方向リンク（またはダウンリンク）は、基地局から端末への通信リンクを指し、逆方向リンク（またはアップリンク）は、端末から基地局への通信リンクを指す。この通信リンクは、シングル・イン・シングル・アウト（ｓｉｎｇｌｅ−ｉｎ−ｓｉｎｇｌｅ−ｏｕｔ）、マルチプル・イン・シングル・アウト（ｍｕｌｔｉｐｌｅ−ｉｎ−ｓｉｎｇｌｅ−ｏｕｔ）、またはマルチプル・イン・マルチプル・アウト（ｍｕｌｔｉｐｌｅ−ｉｎ−ｍｕｌｔｉｐｌｅ−ｏｕｔ）（ＭＩＭＯ）システムにより確立することができる。
【０００５】
ＭＩＭＯシステムは、データ送信にマルチプル（ＮＴ）送信アンテナ（multiple （NT） transmit antennas）およびマルチプル（ＮＲ）受信アンテナ（multiple （NR） receive antennas）を使用する。ＮＴ個の送信アンテナおよびＮＲ個の受信アンテナによって形成されるＭＩＭＯチャネルは、空間チャネルとも呼ばれるＮＳ個の独立チャネルに分解することができ、この場合、ＮＳ≦ｍｉｎ｛ＮＴ，ＮＲ｝である。ＮＳ個の独立チャネルのそれぞれは、次元に対応する。マルチプル送信および受信アンテナによって作られた追加の次元が使用される場合、ＭＩＭＯシステムは、性能の向上（例えば、より高いスループットおよび／またはより大きい信頼性）を提供することができる。
【０００６】
ＭＩＭＯシステムは、時分割デュプレックス(duplex)（ＴＤＤ）システムおよび周波数分割デュプレックス（ＦＤＤ）システムをサポートする。ＴＤＤシステムでは、順方向および逆方向リンク伝送は、同じ周波数領域上にあり、したがって、相反原理によって、逆方向リンクチャネルから順方向リンクチャネルを推定することができる。これによって、マルチプルの（multiple）アンテナがアクセスポイントで使用可能なとき、アクセスポイントは、順方向リンク上の送信ビームフォーミング利得（transmit beamforming gain）を抽出することができる。
【０００７】
一部の無線通信システムは、（例えばＣＤＭＡおよびＯＦＤＭＡの両方などの）データを送信するためにマルチプルの変調波形を使用する。これら複数の変調波形のそれぞれは、異なる電力設定を有することができ、装置が送信する電力が多すぎたり（例えば干渉をもたらす）少なすぎたり（例えば十分に通信できない）しないように制御されなければならない。したがって、マルチプルの変調波形のために異なる電力設定を制御する必要がある。
【発明の概要】
【０００８】
以下は、こうした観点の基本的な理解を提供するために、１つまたは複数の観点の簡単な要約を示す。この要約は、企図されているすべての観点の広範な概要ではなく、また、すべての観点の鍵となる要素または重要な要素を識別するためのものではなく、任意のまたはすべての観点の範囲を画定するためのものでもない。単に、後述するより詳細な説明の前置きとして、１つまたは複数の観点の一部の概念を簡略化した形で提示するためのものである。
【０００９】
１つまたは複数の観点およびその対応する開示によれば、複数の変調波形（例えばＯＦＤＭＡとＣＤＭＡなど）を使用するアクセス端末のための電力制御に関して、様々な観点が記載されている。各チャネルの電力設定は、移動装置がアクセスプローブを送信し、無線通信システムに含まれる時から、移動装置が定常状態になるまで、別々に制御することができる。
【００１０】
一観点によれば、無線通信システムで使用される少なくとも２つの変調波形の電力制御を提供するための方法が提供される。この方法は、開ループ電力制御およびクローズドループ電力制御を使用して第１の変調波形の逆方向リンク制御チャネルの基準電力レベルを設定することを含み得る。また、この方法は、第２の変調波形の逆方向リンク制御チャネルのディジタル利得を調整すること、および第２の変調波形の逆方向リンクデータチャネルのディジタル利得を調整することも含み得る。第２の変調波形の逆方向リンク制御チャネル、および第２の変調波形の逆方向リンクデータチャネルの両方は、基準電力レベルに関して調整することができる。
【００１１】
別の観点は、メモリおよびプロセッサを含む無線通信装置に関する。メモリは、開ループ電力制御およびクローズドループ電力制御を使用して第１の変調波形の逆方向リンク制御チャネルの基準電力レベルを設定すること、基準電力レベルの関数として第２の変調波形の逆方向リンク制御チャネルのディジタル利得を調整すること、および基準電力レベルの関数として第２の変調波形の逆方向リンクデータチャネルのディジタル利得を調整することに関する命令を保持することができる。プロセッサは、メモリに結合することができ、メモリ内に保持されている命令を実行するよう構成することができる。
【００１２】
さらに別の観点は、電力制御を容易にする無線通信装置に関する。この装置は、開ループ電力制御およびクローズドループ電力制御を使用して第１の変調波形の逆方向リンク制御チャネルの基準電力レベルを設定するための手段を含み得る。また、装置には、基準電力レベルに関して第２の変調波形の逆方向リンク制御チャネルのディジタル利得を調整するための手段、および基準電力レベルに関して第２の変調波形の逆方向リンクデータチャネルのディジタル利得を変更するための手段も含めることができる。
【００１３】
さらに別の観点は、アクセスプローブを送信し、単一セクタからの受信電力を決定し、逆方向リンク制御チャネルの基準電力を設定するための機械実行可能命令を格納する機械可読媒体に関する。命令は、基準電力の関数として第２の変調波形の逆方向リンク制御チャネルのディジタル利得を変更し、基準電力の関数として第２の変調波形の逆方向リンクデータチャネルのディジタル利得を変更するためのものとすることもできる。
【００１４】
無線通信システムにおいて、別の観点は、プロセッサを備える装置に関する。このプロセッサは、開ループ電力制御およびクローズドループ電力制御を使用して第１の変調波形の逆方向リンク制御チャネルの基準電力レベルを設定するよう構成することができる。また、プロセッサは、第２の変調波形の逆方向リンク制御チャネルのディジタル利得を調整し、第２の変調波形の逆方向リンクデータチャネルのディジタル利得を調整するよう構成することもできる。第２の変調波形の逆方向リンク制御チャネル、および第２の変調波形の逆方向リンクデータチャネルは、両方とも基準電力レベルに関して調整することができる。
【００１５】
上記および関連の目的を達成するために、１つまたは複数の観点は、以下で十分に説明され、特に特許請求の範囲に示されている特徴を備える。上記の説明および添付の図面は、１つまたは複数の観点のいくつかの特徴例を詳しく記載している。しかし、これらの特徴は、様々な観点の原理を使用し得る様々な方法のほんの一部を示しているにすぎない。他の利点および新しい特徴は、以下の詳細な説明を図面と併せ読めば明らかになり、開示した観点は、こうしたすべての観点およびその均等物を含むものとする。
【図面の簡単な説明】
【００１６】
【図１】本明細書に示されている様々な観点による無線通信システムを示す概略図。
【図２】１つまたは複数の観点による多元接続無線通信システムを示す概略図。
【図３】移動装置が少なくとも２つの変調波形のチャネルの電力制御を提供する無線通信システムを示す概略図。
【図４】電力制御アルゴリズムを使用する移動装置電力制御インターフェース例を示すブロック図。
【図５】開示した観点による電力制御アルゴリズムを使用する移動装置の様々な構成要素(components)を示す概略図。
【図６】無線通信システムにおける複数の変調波形の電力制御のための方法を示す図。
【図７】複数の変調波形の電力制御のための別の方法を示す図。
【図８】開示した観点の１つまたは複数によるアクセス端末の電力制御を容易にするシステムを示す概略図。
【図９】無線通信システム例を示す概略図。
【図１０】異なる変調波形を使用するチャネルの電力を制御するシステム例を示す概略図。
【発明を実施するための形態】
【００１７】
以下、様々な観点を、図面を参照して説明する。以下の説明では、説明上、１つまたは複数の観点を完全に理解できるようにするために多数の特定の詳細を記載している。しかし、これらの特定の詳細無しにこうした観点を実施できることは明らかであろう。他の例では、これらの観点を説明しやすくするために、よく知られている構造および装置をブロック図の形式で示している。
【００１８】
本出願で使用する場合、「構成要素」、「モジュール」、「システム」などの用語は、ハードウェア、ファームウェア、ハードウェアおよびソフトウェアの組合せ、ソフトウェア、または実行中のソフトウェアのいずれかのコンピュータ関連のエンティティを指すものとする。例えば、構成要素は、それだけには限定されないが、プロセッサ上で動作するプロセス、プロセッサ、オブジェクト、実行可能ファイル、実行スレッド、プログラム、および／またはコンピュータとすることができる。例として、コンピューティング装置上で稼働するアプリケーションおよびコンピューティング装置はいずれも構成要素とすることができる。１つまたは複数の構成要素が１つのプロセスおよび／または実行スレッド内に存在することが可能であり、１つの構成要素を１つのコンピュータ上に配置する、および／または２つ以上のコンピュータの間に分散することができる。さらに、これらの構成要素は、様々なデータ構造を格納している様々なコンピュータ可読媒体から実行することができる。構成要素は、（例えばローカルシステム、分散システムにおいて別の構成要素と対話する、および／または信号によって他のシステムとインターネットなどのネットワークを介して対話する１つの構成要素からのデータなど）例えば１つまたは複数のデータパケットを有する信号によるなど、局所および／または遠隔のプロセスによって通信することができる。
【００１９】
さらに、本明細書には、無線端末との関連で、様々な観点が記載されている。無線端末は、システム、加入者ユニット、加入者局、移動局、移動体、移動装置、装置遠隔局（device remote station）、遠隔端末、アクセス端末、ユーザ端末、端末、無線通信装置、ユーザエージェント、ユーザ装置、またはユーザ機器（ＵＥ）と呼ぶこともできる。無線端末は、セル方式電話、コードレス電話、ＳＩＰ（Ｓｅｓｓｉｏｎ  Ｉｎｉｔｉａｔｉｏｎ  Ｐｒｏｔｏｃｏｌ）電話、スマートフォン、無線ローカルループ（wireless local loop：ＷＬＬ）局、個人用ディジタル補助装置（ＰＤＡ）、ラップトップ、ハンドヘルド通信装置、ハンドヘルドコンピューティング装置、衛星ラジオ、および／または無線システムを介して通信するための別の処理装置とすることができる。さらに、本明細書には、基地局との関連で、様々な観点が記載されている。基地局は、無線端末との通信のために使用することができ、アクセスポイント、ＮｏｄｅＢ、または他の何らかの用語で呼ぶこともできる。
【００２０】
様々な観点または特徴が、いくつかの装置、構成要素、モジュールなどを含み得るシステムの観点から示される。様々なシステムは、追加の装置、構成要素、モジュールなどを含んでいてもよく、かつ／または図面との関連で記述した装置、構成要素、モジュールなどのすべてを含んでいなくてもよいことを理解されたい。これらの手法の組合せを使用することもできる。
【００２１】
次に図１を参照すると、本明細書に示されている様々な観点による無線通信システム１００が示されている。システム１００は、１つまたは複数のセクタ内に、無線通信信号を互いに、および／または１つまたは複数の移動装置１０４との間で受信し、送信し、反復などを行う１つまたは複数の基地局１０２を備えることができる。各基地局１０２は、複数の送信機チェーンおよび受信機チェーン（例えば、送信および受信アンテナごとに１つなど）を備えることができ、そのそれぞれは、次いで信号の送信および受信に関連付けられている複数の構成要素（例えば、プロセッサ、変調器、多重装置、復調器、多重分離装置、アンテナなど）を備え得る。各移動装置１０４は、ＭＩＭＯ（ｍｕｌｔｉｐｌｅ  ｉｎｐｕｔ  ｍｕｌｔｉｐｌｅ  ｏｕｔｐｕｔ）システムに使用されるものなど、１つまたは複数の送信機チェーンおよび受信機チェーンを備えることができる。各送信機チェーンおよび受信機チェーンは、当業者であれば理解するように、信号の送信および受信に関連付けられている複数の構成要素（例えば、プロセッサ、変調器、多重装置、復調器、多重分離装置、アンテナなど）を備え得る。
【００２２】
無線通信システム１００は、異なる電力設定をそれぞれ有することができる複数の変調波形を送信し、制御するよう構成することができる。例えば、ＯＦＤＭＡシステムだけ、またはＣＤＭＡシステムだけではなく、無線通信システム１００は、ＯＦＤＭＡおよびＣＤＭＡ（または他の変調波形）を両方使用することができる。したがって、帯域幅のある部分は、第１の変調波形（例えばＣＤＭＡ）のためのもの、帯域幅のある部分は、第２の変調波形（例えばＯＦＤＭＡ）のためのものであるので、両方のチャネルは、移動装置１０４が送信しているのと実質的に同時にオンであり得る。これらのチャネルの電力は、特定の移動装置が送信している電力が、名目上必要なものより多すぎることなく、効果的な通信に必要なものに満たないことのないように、調整されるべきである。したがって、開示した観点の使用によって、適切な量の公称電力が使用されるように、これらのチャネルの電力設定を調整しやすくすることができる。
【００２３】
電力の制御は、電力増幅器を直接調整することによって提供することができる。この技術は、一般に、ＯＦＤＭＡのみまたはＣＤＭＡのみの通信システムなど、単一の変調波形のみを含む通信システムに使用される。しかし、開示した観点によれば、使用される少なくとも２つのタイプの変調波形があり、各波形内に、共に多重化されるチャネルが存在することができる。例えば、ＣＤＭＡ波形において、共に多重化することができるチャネルには、アクセスチャネル、ＣＱＩ要求などがある。ＯＦＤＭＡ波形では、多重化することができるチャネルの例には、ＡＣＫ制御チャネル、逆方向リンクデータチャネルなどがある。それぞれ異なる波形および異なる電力設定を有する非常に多くの異なるチャネルでは、各チャネルの電力設定は、開示した観点によって提供されるように、別々に制御されるべきである。
【００２４】
図２は、１つまたは複数の観点による多元接続無線通信システム２００を示す。無線通信システム２００は、１つまたは複数のユーザ装置と連絡する１つまたは複数の基地局を含み得る。各基地局は、複数のセクタのカバレージを提供する。３セクタ基地局２０２は、１つのグループがアンテナ２０４および２０６、別のグループがアンテナ２０８および２１０、および第３のグループがアンテナ２１２および２１４を含む複数のアンテナグループを含む。図によれば、アンテナグループごとに、アンテナが２つだけ示されているが、アンテナグループごとに、使用されるアンテナがより多くても、またはより少なくてもよい。移動装置２１６は、アンテナ２１２および２１４と通信し、この場合、アンテナ２１２および２１４は、順方向リンク２２０を介して、情報を移動装置２１６に送信し、逆方向リンク２１８を介して、情報を移動装置２１６から受信する。順方向リンク（またはダウンリンク）は、基地局から移動装置への通信リンクを指し、逆方向リンク（またはアップリンク）は、移動装置から基地局への通信リンクを指す。移動装置２２２は、アンテナ２０４および２０６と通信し、この場合、アンテナ２０４および２０６は、順方向リンク２２６を介して、情報を移動装置２２２に送信し、逆方向リンク２２４を介して、情報を移動装置２２２から受信する。
【００２５】
アンテナの各グループおよび／またはそれらが通信するよう指定されているエリアは、基地局２０２のセクタと呼ばれ得る。１つまたは複数の観点では、アンテナグループはそれぞれ、基地局２０２によってカバーされるセクタまたはエリア内の移動装置と通信するよう設計されている。基地局は、端末と通信するために使用される固定局とすることができる。
【００２６】
図３は、移動装置が、例えばＣＤＭＡチャネルとＯＦＤＭＡチャネルの両方など、少なくとも２つの変調波形の電力制御を提供する無線通信システム３００を示す。本明細書には、ＣＤＭＡおよびＯＦＤＭＡを参照して様々な観点が記載されているが、観点は、そのように限定されず、それぞれ異なる電力設定を有する複数の変調波形を送信するシステムおよび／または送信機に適用可能である。
【００２７】
論理チャネルは、制御チャネルおよびトラフィックチャネルに分類することができる。ダウンリンク物理層（ＤＬ  ＰＨＹ）チャネルは、ＳＣＣＨ（共有制御チャネル）、ＰＢＣＣＨ（一次報知チャネル）、ＳＢＣＣＨ（二次報知チャネル）、およびＣＰＩＣＨ（Ｃｏｍｍｏｎ  Ｐｉｌｏｔ  Ｃｈａｎｎｅｌ  ｉｎ  Ｓｕｐｅｒｆｒａｍｅ  Ｐｒｅａｍｂｌｅ）を含み得る。アップリンク物理層（ＵＬ  ＰＨＹ）チャネルは、ＣＤＭＡ制御チャネル、ＯＦＤＭＡ制御チャネル、およびデータチャネル（ＤＣＨ）を含み得る。ＣＤＭＡ制御チャネルは、チャネル品質インジケータチャネル（ＣＱＩＣＨ）、要求チャネル（ＲＥＱＣＨ）、およびランダムアクセスチャネル（ＲＡＣＨ）を含む。ＯＦＤＭＡ制御チャネルは、応答チャネル（ＡＣＫＣＨ）を含む。
【００２８】
図示したように、無線通信システム３００は、移動装置３０４と通信するアクセスポイント３０２を含み得る。移動装置３０４がアクセスポイント３０２によってサービスされている地理的領域またはセルに入るか、起動されるか、またはアイドル状態から接続状態に移行すると、移動装置３０４は、アクセスプローブを送信することができる。アクセスプローブは、どのアクセスポイント３０２がエリア内にあるか、および無線通信システム３００を使用するために移動装置３０２が必要とする他の情報を決定するために使用される。アクセスプローブは、逆方向リンクサービングセクタ(Reverse Link Serving Sector)（ＲＬＳＳ）からの測定された平均受信電力に比例したプローブ電力で送信される。移動装置３０４でアクセス許可（Access Grant）が受信され、正常に復号されるまで、連続したアクセスプローブを、より高い電力で送信することができる。
【００２９】
アクセス許可がアクセスポイント３０２から受信されるのと実質的に同時に、移動装置３０４は、接続状態に移行することができる。接続状態の間、移動装置３０４の基準電力レベルエスタブリッシャ（reference power level establisher）３０６は、ＰＣＴＲＬと呼ばれるＣＤＭＡ  ＲＬなど第１の変調波形のＲＬ（逆方向リンク）基準電力を調整するように構成することができる。基準電力は、開ループ電力制御およびクローズドループ電力制御の両方を使用して調整することができる。開ループ電力制御では、基準電力レベルエスタブリッシャ３０６は、連続するスーパーフレームプリアンブルインターバル(Superframe Preamble intervals)中のＲＬＳＳからの平均受信電力の差に基づいてＲＬ基準電力を更新することができる。クローズドループ電力制御では、基準電力レベルエスタブリッシャ３０６は、以下でさらに詳しく説明する、アクセスポイント３０４から送信された消去ビット（erasure bit）に基づいて、移動装置３０４の基準電力を更新することができる。一部の観点によれば、クローズドループ電力制御では、基準電力レベルエスタブリッシャ３０６は、アクセスポイント３０２から受信したアップダウン電力制御ビット（up-down power control bit）を使用して、基準電力を更新することができる。さらに、または代わりに、基準電力レベルはディジタル−アナログ変換器、アナログフロントエンド（Analog Front End）、電力増幅器の設定を調整することによって更新することができる。
【００３０】
制御チャネルディジタル利得モディファイア(modifier)３０８は、要求（ＲＥＱ）制御チャネル、チャネル品質インジケータ（ＣＱＩ）制御チャネル、応答（ＡＣＫ）制御チャネル、またはその組合せのディジタル利得を調整するよう構成することができる。制御チャネルのディジタル利得は、ＣＤＭＡ  ＲＬ基準電力（ＰＣＴＲＬ）に関してこれらのチャネルが電力ブーストされるように調整される。一部の観点によれば、制御チャネルのディジタル利得は、逆方向リンク制御チャネル利得に比例するファクタ(factor)によって調整することができる。ディジタル利得は、逆方向リンクマルチプル変調波形送信機（reverse link multiple modulation waveform transmitter）のＩＦＦＴ段階の前の変調器ブロックにおいて適用することができる。
【００３１】
データチャネルディジタル利得モディファイア３１０は、逆方向データチャネル利得（ＲＤＣＨＧａｉｎ）に比例するファクタによって、ＲＬ  ＣＤＭＡ制御チャネルなど、第１の変調波形のＲＬ制御チャネルに関して逆方向リンクデータチャネル（Ｒ−ＤＣＨ）のディジタル利得を調整することができる。一部の観点によれば、ディジタル利得モディファイアは、ＲＴＣ−ＭＡＣパケットのＭＡＣヘッダーのＩｎＢａｎｄＰｏｗｅｒＣｏｎｔｒｏｌブロック内のタプル［ＲＤＣＨＧａｉｎ，対応するＭａｘＳｕｂＣａｒｒｉｅｒｓ］を報告することができる。一部の観点によれば、ディジタル利得は、逆方向リンクマルチプル変調波形（例えばＯＦＤＭＡ−ＣＤＭＡ）送信機のＩＦＦＴ段階の前の変調器ブロックにおいて適用することができる。
【００３２】
さらに、または代わりに、第１の変調波形（例えばＣＤＭＡ）チャネルが逆方向リンク伝送フレームに存在しない場合、データチャネルおよび制御チャネルのディジタル利得は、電力ブーストされる。一部の観点によれば、無線通信システム内の他の装置にもたらされる干渉の生成を軽減するために、データチャネルおよび制御チャネルのディジタル利得を、最大所定利得に制限することができる。
【００３３】
また、移動装置３０４には、電力制御インターフェース３１２を含めることもできる。電力制御インターフェース３１２は、以下のルールを適用することができる電力制御アルゴリズムを使用することができる。ＲＬ  ＣＤＭＡチャネルの消去ベースのクローズドループ電力制御がサポートされる。アップダウンベースのクローズドループ電力制御は、サポートされていない。ＲＤＣＨ伝送では、移動装置３０４は、スーパーフレームプリアンブルで送られた他セクタ干渉（Other Sector Interference：ＯＳＩ）ビット、およびＦ−ＳＳＣＨで送られたＦａｓｔ  Ｏｔｈｅｒ  ＯＳＩビットに基づいてＲＤＣＨＧａｉｎパラメータを更新しない場合がある。言い換えると、電力制御アルゴリズムは、セル間干渉を軽減するよう試行しない場合がある。ＲＤＣＨ電力制御では、移動装置３０４は、逆方向リンク割り当てブロック（ＲＬＡＢ）上で送られたＲＤＣＨＧａｉｎ値を無視する場合がある。言い換えると、端末は、「はみ出し者の移動装置」はなく、アクセスポイント３０２が各移動装置３０４を電力制御する必要はないと仮定し得る。電力制御インターフェース３１２および電力制御アルゴリズムに関するこれ以上の情報について、図４を参照して説明する。
【００３４】
移動装置３０４は、帯域内および／または帯域外のメッセージをさらに送信することができる。メッセージは、送信できる最大数の逆方向リンクデータ副搬送波についての詳細を含むことができる。最大数の逆方向リンクデータ副搬送波は、電力増幅器制限および最大所定利得制限をかけられ得る。
【００３５】
システム３００は、移動装置３０４に動作可能に結合されたメモリ３１４を含み得る。メモリ３１４は、移動装置３０４の外部にあってもよく、または移動装置３０４内に存在していてもよい。メモリ３１２は、開ループ電力制御およびクローズドループ電力制御を使用して第１の変調波形（例えばＣＤＭＡ）の逆方向リンク制御チャネルの基準電力レベルを設定し、第２の変調波形（例えばＯＦＤＭＡ）の逆方向リンク制御チャネル、および／または第２の変調波形の逆方向リンクデータチャネルのディジタル利得を、基準電力レベルに関して調整することに関連する情報、および複数の変調波形の電力制御およびネットワーク内の通信に関連する他の適した情報を格納することができる。プロセッサ３１６は、通信ネットワークにおける電力制御に関連する情報の分析を容易にし、メモリ内に保持されている命令を実行するために、受信機３０４（および／またはメモリ３１４）に動作可能に接続することができる。プロセッサ３１６は、移動装置３０４によって受信された情報を分析し、かつ／または生成することを専用とするプロセッサ、システム３００の１つまたは複数の構成要素を制御するプロセッサ、および／または移動装置３０４によって受信された情報を分析、生成し、システム３００の１つまたは複数の構成要素を制御するプロセッサとすることができる。
【００３６】
メモリ３１６は、システム３００が、本明細書に記載されているように、無線ネットワークにおける通信の向上を達成するために、格納されたプロトコルおよび／またはアルゴリズムを使用することができるように、電力制御に関連付けられており、かつ／または移動装置３０４と基地局３０２との間などの通信を制御するための処置をとるプロトコルを格納することができる。本明細書に記載されているデータストア（例えばメモリ）構成要素は、揮発性メモリまたは不揮発性メモリのいずれかであり得る、または揮発性メモリおよび不揮発性メモリの両方を含み得ることを理解されたい。不揮発性メモリには、それだけには限定されないが一例として、読み取り専用メモリ（ＲＯＭ）、プログラマブルＲＯＭ（ＰＲＯＭ）、電気的プログラマブルＲＯＭ（ＥＰＲＯＭ）、電気的消去可能ＲＯＭ（ＥＥＰＲＯＭ）、フラッシュメモリなどがあり得る。揮発性メモリには、外部キャッシュメモリとして働くランダムアクセスメモリ（ＲＡＭ）などがあり得る。ＲＡＭは、それだけには限定されないが一例として、シンクロナスＲＡＭ（ＤＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトラムバスＲＡＭ（ＤＲＲＡＭ）など多くの形態で使用可能である。開示した観点のメモリ３１４は、それだけには限定されないが、これらおよび他の適したタイプのメモリを備えるものとする。
【００３７】
図４は、電力制御アルゴリズム４００を使用する移動装置電力制御インターフェース例のブロック図を示す。電力制御アルゴリズム４００への入力は、３つのパラメータを含み得る。第１の入力パラメータは、セクタ当りのアンテナ当りの平均受信（Ｒｘ）電力４０２である。セクタ当りのアンテナ当りの平均Ｒｘ電力４０２は、ｐｋ，ｓによって表され、アンテナ指数ｋおよびセクタ指数ｓ当りの平均受信電力は、セクタＰｉｌｏｔＰＮを指す。このパラメータは、ＣＰＩＣＨプリアンブル処理アルゴリズムによって提供されることを理解されたい。このアルゴリズムは、スーパーフレームプリアンブルで生じる共通パイロット（ＣＰＩＣＨ）を処理し、これについては、以下でさらに詳しく説明する。一観点によれば、このパラメータは、一例では約２５ミリ秒とすることができるスーパーフレーム期間ごとに更新される。さらに、このパラメータは、より意味のあるｄＢｍ値に変換することができ、これについては、以下でさらに詳しく説明する。
【００３８】
第２の入力パラメータは、ＤＶＧＡ，ＡＧＣ，Ｅｓｔｉｍａｔｅｄ  Ｅｎｅｒｇｙ  Ｐｅｒ  Ａｎｔｅｎｎａ４０４である。ＤＶＧＡ，ＡＧＣ，Ｅｓｔｉｍａｔｅｄ  Ｅｎｅｒｇｙ  Ｐｅｒ  Ａｎｔｅｎｎａ４０４は、以下によって表すことができる。
【００３９】
Ｇｋ：アンテナ（ｋで索引付けされる）ごとの８ビットのアナログ利得状態
【数１】
2010523060.tif 000003
【００４０】
：アンテナ（ｋで索引付けされる）ごとの、ＡＤＣの出力での複数のスーパーフレームにわたる線形ドメインにおけるフィルタリングされた推定エネルギー（Filtered Estimated Energy）
Ｅｋ：アンテナ（ｋで索引付けされる）ごとの、ＡＤＣの出力での現在のスーパーフレームでの線形ドメインにおける瞬間推定エネルギー（instantaneous estimated energy）
【００４１】
上記のパラメータは、ＤＶＧＡブロックによって計算することができ、すべてのセクタにわたって共通であることを理解されたい。一例では、これらのパラメータは、スーパーフレームプリアンブル（例えば、約２５ミリ秒）ごとに更新することができる。
【００４２】
第３の入力パラメータは、セクタ当りの消去値４０６である。セクタ当りの消去値は、以下によって表すことができる。
【００４３】
ｅｓ：セクタ指数についての消去値（Erasure Value）であり、この場合「ｓ」は、セクタＰｉｌｏｔＰＮを指す。
【００４４】
この場合も、このパラメータは、以下の式によって与えられる適切なＦＬ  ＰＨＹＦｒａｍｅ指数「ｆ」についてのＳＳＣＨ復調処理アルゴリズムによって計算することができることを理解されたい。  
【数２】
2010523060.tif 000004
【００４５】
上記のパラメータは、ＤＶＧＡブロックによって計算することができ、すべてのセクタにわたって共通であることを理解されたい。一例では、これらのパラメータは、スーパーフレームプリアンブルごと、または一部の観点によれば、約２５ミリ秒ごとに更新することができる。
【００４６】
電力制御アルゴリズムからの出力は、電力制御レジスタ指数値４０８を含み得る。出力電力制御レジスタ指数値は、以下によって表すことができる。
【００４７】
ＰＣＲｅｇ：移動装置のアナログ送信電力を制御するＰＡレジスタ値。
【００４８】
移動装置は、ＲＬ  ＣＤＭＡ制御チャネルを含むＲＬ  ＰＨＹＦｒａｍｅごとにこの値を更新することができることを理解されたい。
【００４９】
別の出力は、変調器スケーリング(Ｓｃａｌｉｎｇ)係数４１０である。この出力４１０は、電力制御インターフェース４１０によってプログラムすることができる以下のレジスタを含み得る。レジスタは、ＭＯＤ＿ＲＡＣＨ、ＭＯＤ＿ＲＣＱＩＣＨ、ＭＯＤ＿ＲＥＱＣＨ、Ｒ−ＡＣＫＣＨパケットデスクリプタ(Descriptor)、およびＭＯＤ＿ＦＤ＿ＢＵＦＦを含む。これらのレジスタは、他の名前で呼ぶことができ、本明細書に記載されているレジスタは、様々な観点を記載するために使用されることを理解されたい。ＭＯＤ＿ＲＡＣＨのフィールドは、ＲＡＣＨ＿ＰＯＷＥＲとすることができる。ＭＯＤ＿ＲＣＱＩＣＨのフィールドは、ＲＣＱＩＣＨ＿ＰＯＷＥＲとすることができる。ＭＯＤ＿ＲＥＱＣＨは、フィールドＲＲＥＱＣＨ＿ＰＯＷＥＲを含み得る。Ｒ−ＡＣＫＣＨパケットデスクリプタレジスタは、フィールドＲ−ＡＣＫＣＨ＿ＰＯＷＥＲを含み得る。ＭＯＤ＿ＦＤ＿ＢＵＦＦレジスタは、パケットセグメントのフィールドＰＯＷＥＲ＿ＤＥＮＳＩＴＹを含み得る。
【００５０】
一部の観点によれば、ＲＡＣＨ＿Ｐｏｗｅｒ、ＲＣＱＩＣＨ＿ＰＯＷＥＲ、およびＲＲＥＱＣＨ＿ＰＯＷＥＲは、それぞれｓ１．１４のビット数とすることができ、Ｒ−ＡＣＫＣＨ＿ＰＯＷＥＲおよびパケットセグメントのＰＯＷＥＲ＿ＤＥＮＳＩＴＹは、それぞれｓ２．１３のビット数とすることができる。ｓ１．１４は、１整数ビットおよび１４小数ビットを有する符号付き数を表す。ｓ２．１３は、２整数ビットおよび１３小数ビットを表す。本明細書の様々な観点のうちの１つまたは複数は、開示した観点を実施することができる唯一の方法であるこの表現（ｓ１．１４および／またはｓ２．１３）を参照して記載される。開示した観点を実施するために、他の表現を選択することができることを理解されたい。
【００５１】
別の出力は、ＩｎＢａｎｄＰｏｗｅｒＣｏｎｔｒｏｌパラメータ（ＲＴＣ−ＭＡＣプロトコル）４１２とすることができる。一観点によれば、出力ＩｎＢａｎｄＰｏｗｅｒＣｏｎｔｒｏｌパラメータ（ＲＴＣ−ＭＡＣプロトコル）、電力制御アルゴリズムは、ＲＴＣ  ＭＡＣパケットのＩｎＢａｎｄＰｏｗｅｒＣｏｎｔｒｏｌＢｌｏｃｋの以下のフィールド、ＲＤＣＨＧａｉｎＩｎｄｅｘおよびＭａｘＳｕｂＣａｒｒｉｅｒｓを更新することができる。ＲＤＣＨＧａｉｎＩｎｄｅｘは、以下の値の範囲を有し得る。  
【数３】
2010523060.tif 000005
【００５２】
ＭａｘＳｕｂＣａｒｒｉｅｒｓは、０，２＾ｎの値の範囲を有することができ、この場合、ｎ＝４から１１である。
【００５３】
一部の観点によれば、電力制御インターフェース４１０によって実施される電力制御アルゴリズム４００は、構成パラメータを含み得る。これらの構成パラメータは、ＯＡＭパラメータおよびそれらのデフォルト値を含み得る。一例において、これらの値は、移動装置がリセットされるたびに変更することができるが、移動装置の通常動作中は変更されない。
【００５４】
電力制御構成パラメータの一例を、以下の表１に示す。  
【表１】
2010523060.tif 000006
【表２】
2010523060.tif 000007
【００５５】
図５は、開示した観点による電力制御アルゴリズム５０２を使用する移動装置５００の様々な構成要素を示す。理解しやすくするために、本明細書には、ＣＤＭＡおよび／またはＯＦＤＭＡを参照して、様々な観点が記載されているが、こうした観点は、そのように限定されるものではなく、異なる電力設定をそれぞれ備える複数の変調波長に適用可能であることに再度留意されたい。電力制御アルゴリズムの動作は、平均Ｒｘ電力の計算を含み得る。アンテナ当り、セクタ当りの平均受信機（Ｒｘ）電力は、ＣＰＩＣＨプリアンブル処理ブロック５０４によって推定することができ、Ｐｋ，ｓと表され、この場合、図４を参照して上述したように、ｋはアンテナ指数、ｓはセクタ指数である。これらの値は、意味のあるｄＢｍ値に変換すべきディジタル数字である。このために、（上述したように）ＡＤＣ５０６の出力で計算された推定エネルギーを使用することができる。というのは、この値は、ＡＧＣ５０４利得状態に依存して、ｄＢｍ値への直接マッピングを有するからである。ＡＤＣ５０６の出力における推定エネルギーパラメータは、Ｅｋと表される。このパラメータには、（例えば複数の基地局など）すべてのセクタからの貢献があることを理解されたい。
【００５６】
上記から、「セクタ当り」のＡＤＣ５０４の出力における推定エネルギーは、セクタ指数ｓおよびアンテナ指数ｋの場合、以下のように計算することができる。  
【数４】
2010523060.tif 000008
【００５７】
上記の推定エネルギーは、以下のように、それをフルスケールのＡＤＣ電力に正規化し、アナログ利得を差し引くことによって、物理的な受信アンテナで、ｄＢｍにマッピングすることができる。  
【数５】
2010523060.tif 000009
【００５８】
この場合、アナログ利得状態１がアクティブであり、アナログ利得状態２が非アクティブであるとき、ＩＧａｉｎｓｔａｔｅｌ＝１であり、アナログ利得状態１および２がアクティブであるとき、ＩＧａｉｎｓｔａｔｅ１２＝１である。そうでない場合、これらの変数は、０の値をとる。一例では、パラメータＡＤＢｉｔＷｉｄｔｈ＝１４ビット、および較正変数ＲＥＦ＿ＰＷＲ、ＲＸ＿ＲＦＥＥ＿ＰＡＴＨ＿ＬＯＳＳ、ＲＸ！＿ＯＦＦＳＥＴ＿０＿７およびＲＸ１＿ＯＦＦＳＥＴ＿７＿１４は、既知のパラメータ、または起動時にユーザプログラム可能である。
【００５９】
上記から、すべての受信アンテナにわたって平均される平均受信電力（ｄＢｍ単位）は、以下のように与えられる。  
【数６】
2010523060.tif 000010
【００６０】
式中、ＭＲは、移動装置の受信機アンテナの数である。
【００６１】
一観点によれば、アクセスプローブ電力計算を、以下のように計算することができる。アイドル状態プロトコルから接続状態プロトコルに移行するために、移動装置５００は、アクセスプローブを、ＲＬ  ＣＤＭＡ制御チャネルを介してアクセスポイントに送る。ＩｎｉｔｉａｌＡｃｃｅｓｓＰｏｗｅｒは、（オーバーヘッドから取得された）ＯｐｅｎＬｏｏｐＡｄｊｕｓｔパラメータおよびアクセス試行が行われているセクタからのＣＰＩＣＨプリアンブルパイロットの平均受信電力に基づいて決定することができる。  
【数７】
2010523060.tif 000011
【００６２】
この場合、ターゲットセクタのＭｅａｎＲｘＰｏｗｅｒ［ＡＥＴａｒｇｅｔＳｅｃｔｏｒ（ｄＢｍ）］は、アクセス手順を通じて、各スーパーフレームプリアンブルで更新されるものとする。
【００６３】
ＯｐｅｎＬｏｏｐＡｄｊｕｓｔパラメータは、一般に、以下のように計算される。  
【数８】
2010523060.tif 000012
【００６４】
一例として、アクセスポイントで受信されたＡＣＨプローブのターゲットＣ／Ｉ＝−１７ｄＢ、−９７ｄＢｍのノイズフロアに対応する−１１４ｄＢｍの公称「ターゲットＡＰ  ＡＣＨ受信電力」を想定することができる。さらに、３３ｄＢｍの公称ＡＰ＿Ｔｒａｎｓｍｉｔ＿Ｐｏｗｅｒを想定することができる。これらのパラメータは、ＯｐｅｎＬｏｏｐＡｄｊｕｓｔ値＝８１ｄＢを導く。
【００６５】
一観点によれば、移動装置５００は、アクセスポイントからのアクセス利得を正常に復号しない場合、アクセスプローブを、次のように計算される連続的に増加する電力レベルとして送信する。  
【数９】
2010523060.tif 000013
【００６６】
移動体電力制御インターフェース５０２は、それに応じて電力増幅器５０８をプログラミングすることによって、所望のＰｒｏｂＰｏｗｅｒ（ｄＢｍ単位）でプローブを送信する。具体的には、電力制御インターフェース５０２は、上記の計算されたＰｒｏｂｅＰｏｗｅｒ（ｄＢｍ）値をｘビット値に変換する「ＡＴ＿ＴＸ＿ＧａｉｎＣＴＬ」テーブルを使用し、それを電力増幅器レジスタ５１０に伝える。ｘが整数である場合、一観点によれば、ｘは、９に等しい。これらのｘビットは、所望の電力での送信を可能にするように、電力増幅器５０８に信号で伝えられる。ＡＴ＿ＴＸ＿ＧａｉｎＣＴＬテーブルは、プログラム可能である。
【００６７】
一例では、アクセス手順中、電力制御インターフェース５０２は、次のように変調器ブロック５１２をプログラムする。ＭＯＤ＿ＲＡＣＫレジスタのＲＡＣＫ＿ＰＯＷＥＲフィールドは、値２＾（−１１）に設定される。
【００６８】
別の観点によれば、ＲＬ  ＣＤＭＡ基準電力（ＰＣＴＲＬ）計算を次のように行うことができる。移動装置５００は、アクセスポイントからのアクセス許可を正常に復号した後、次のように、ＰＣＴＲＬと呼ばれるＲＬ  ＣＤＭＡ制御チャネル基準電力パラメータを初期化する。  
【数１０】
2010523060.tif 000014
【００６９】
このパラメータは、以下で説明するように、開ループおよびクローズドループ電力制御を使用して更新することができる。
【００７０】
開ループ電力制御の一例では、ＯｐｅｎＬｏｏｐＴｒａｎｓｉｔｉｏｎＴｉｍｅがゼロに設定されている場合、移動装置は、このセクションに記載されている開ループ電力調整手順を実行しない。そうでない場合、移動装置は、各スーパーフレームプリアンブル中のＲＬＳＳの平均受信電力［ＡＥＲＬＳＳ］を測定し、それを、ＲＬＳＳの前のスーパーフレームプリアンブル中に測定された平均受信電力と比較する。まず、ＲＬＳＳの前のスーパーフレームプリアンブル以降の平均受信スーパーフレームプリアンブル電力におけるＲｅｃｅｉｖｅｄＰｏｗｅｒＣｈａｎｇｅ（ｄＢ）のステップ変更が次のように計算される。  
【数１１】
2010523060.tif 000015
【００７１】
ＰＣＴＲＬ値は、以下のルールに従って、ＰＣＴＲＬ−ＲｅｃｅｉｖｅｄＰｏｗｅｒＣｈａｎｇｅのその最終値に移行する。  
【数１２】
2010523060.tif 000016
【００７２】
ｔは、ＲＬＳＳの最後のスーパーフレームプリアンブル以降の時間を表し、ＯｐｅｎＬｏｏｐＴｒａｎｓｉｔｉｏｎＴｉｍｅと同じ単位で測定される。
【００７３】
一観点では、電力制御インターフェース５０２（移動装置５００のソフトウェアと呼ぶことができる）は、それに応じて電力増幅器５０８をプログラミングすることによって、基準電力ＰＣＴＲＬ（ｄＢｍ単位）でＣＤＭＡ制御チャネルを送信する。具体的には、電力制御インターフェース５０２は、上記の計算されたＰｒｏｂｅＰｏｗｅｒ（ｄＢｍ）値をｘビット値に変換する「ＡＴ＿ＴＸ＿ＧａｉｎＣＴＬ」テーブルを使用して、それを電力増幅器レジスタ５１０に送信する。この場合、ｘは、整数であり、一観点によれば、９に等しい。次いで、これらのｘビットは、所望の電力での送信を可能にするように、電力増幅器５０８に信号で伝えられる。
【００７４】
閉ループ電力制御の一例では、ＲＬＳＳのＲＬＣｔｒｌＰＣＭｏｄｅは、「ＥｒａｓｕｒｅＢａｓｅｄ」に設定される（例えば、「ＥｒａｓｕｒｅＢａｓｅｄ」の電力制御が実施される）。このモードでは、移動装置５００は、ＲＬＳＳの電力制御コマンドとして、ＲＬＳＳのＦ−ＳＳＣＨで送られる移動装置専用のＦＬ  ＣＥＩビットを処理することができる。具体的には、移動装置５００は、それが上記の式１に従ってＲＬ  ＰＨＹ  Ｆｒａｍｅ指数「ｆ」の前のＣＤＭＡ制御セグメントを含む最も近いＲＬ  ＰＨＹＦｒａｍｅで有効なＲ−ＣＱＩＣＨレポートを送信したという前提で、以下で計算されるＦＬ  ＰＨＹＦｒａｍｅ指数「ｆ」でＦＬ  ＣＥＩビットを監視する。
【００７５】
適切なＦ−ＳＳＣＨを介して送信されるＣＥＩビットが「１」であるとき、電力更新操作では、移動装置は、対応するＰＣＴＲＬをＰｏｗｅｒＣｏｎｔｒｏｌＳｔｅｐＵｐ  ｄＢだけ増加させる。適切なＦ−ＳＳＣＨを介して送信されるＣＥＩビットが「０」であるとき、電力更新操作では、移動装置は、対応するＰＣＴＲＬをＰｏｗｅｒＣｏｎｔｒｏｌＳｔｅｐＤｏｗｎ  ｄＢだけ低下させる。ＰＣＴＲＬ値のこれらの変更は、上述した開ループ電力制御アルゴリズムによって指示される任意の変更に加えることができることを理解されたい。
【００７６】
一観点によれば、電力制御インターフェース５０２は、それに応じて電力増幅器５０８をプログラミングすることによって、更新された基準電力ＰＣＴＲＬ（ｄＢｍ単位）でＣＤＭＡ制御チャネルを送信する。具体的には、電力制御インターフェース５０２は、上記の計算されたＰＣＴＲＬ（ｄＢｍ）値をｘビット値に変換するＡＴ＿ＴＸ＿ＧａｉｎＣＴＬテーブルを使用し、それを電力増幅器レジスタ５１０に送信する。次いで、これらのｘビット（この場合、ｘは９とすることができる）は、所望の電力での送信を可能にするように、電力増幅器５０８に信号で伝えられる。移動装置５００は、ＲＬ  ＣＤＭＡ制御チャネルの（基準電力ＰＣＴＲＬに対する）相対的な電力レベルおよびＲ−ＡＣＫ制御チャネルの相対的な電力レベルを「ディジタル式に」調整し、これについては、以下で詳述する。
【００７７】
一観点によれば、Ｒ−ＣＱＩＣＨレポートがＦＬハンドオフ要求を含まない（移動装置がハンドオフ中ではない）場合、以下の通りである。  
【数１３】
2010523060.tif 000017
【００７８】
これを達成するために、電力制御インターフェース５０２は、ＭＯＤ＿ＲＣＱＩＣＨレジスタのＲＣＱＩＣＨ＿ＰＯＷＥＲフィールド（ｓ１．１４）を値２−（１４−ＲＥＦＬＥＶＥＬ）に設定することによって、変調器ブロック５１２をプログラミングすることができる。Ｒ−ＣＱＩＣＨレポートがＦＬハンドオフ要求を含んでおり（例えば、ＤＦＬＳＳは、ＦＬＳＳとは異なる）、ＣＱＩレポートがＣＱＩＣＨＣＴＲＬであり、ＣＱＩにおけるＡｃｔｉｖｅＳｅｔＩｎｄｅｘフィールドがＤＦＬＳＳのアクティブセット指数であり、ＣＱＩにおけるＤＦＬＳＳフラグが「１」）に設定されている場合、以下の通りである。  
【数１４】
2010523060.tif 000018
【００７９】
これを達成するために、電力制御インターフェース５０２は、ＭＯＤ＿ＲＣＱＩＣＨレジスタのＲＣＱＩＣＨ＿ＰＯＷＥＲフィールド（ｓ１．１４）を次の値に設定することによって、変調器ブロック５１２をプログラミングすることができる。
【００８０】
ｆｌｏｏｒ｛２−（１４−ＲＥＦＬＥＶＥＬ）ｘ１０ＣＱ１ＣＨＰｏｗｅｒＢｏｏｓｔＦｏｒＨａｎｄｏｆｆ／２０ｘ２１４｝これは、ｓ１．１４形式では、以下の解釈がある。  
【数１５】
2010523060.tif 000019
【００８１】
Ｒ−ＣＱＩＣＨレポートがＦＬハンドオフ要求を含んでおり、ＣＱＩＣＨＰｏｗｅｒＢｏｏｓｔＦｏｒＨａｎｄｏｆｆがゼロより大きい場合、ＲＬＳＳからの消去ビットがパワーダウンを示すのであれば、移動装置５００は、ＲＬＳＳからのＦＬ  ＣＥＩビットを無視することを理解されたい。
【００８２】
一観点によれば、ＲＥＱＣｈａｎｎｅｌＧａｉｎｊは、すべてのＲＬ  Ｑｏｓレベルｊについて同じである。Ｒ−ＲＥＱＣＨ送信電力は、以下のルールに従ってＲＬＳＳおよびＤＲＬＳＳについて計算することができる。ＤＲＬＳＳがＲＬＳＳと異なる場合、 
【数１６】
2010523060.tif 000020
【００８３】
となる。上記の電力ブーストを達成するために、電力制御インターフェース５０２は、以下のように、変調器ブロック５１２をプログラミングすることができる。電力制御インターフェース５０２は、ＭＯＤ＿ＲＲＥＱＣＨレジスタのＲＲＥＱＣＨ＿ＰＯＷＥＲフィールド（ｓ１．１４）を次の値に設定することができる。
【００８４】
ｆｌｏｏｒ｛２−（１４−ＲＥＦＬＥＶＥＬ）ｘ１０（ＲＥＱＣｈａｎｎｅｌＧａｉｎｊ＋ＲＥＱＣＨＰｏｗｅｒＢｏｏｓｔＦｏｒＨａｎｄｏｆｆ）／２０ｘ２１４｝これは、ｓ１．１４形式では、以下の解釈がある。  
【数１７】
2010523060.tif 000021
【００８５】
ＤＲＬＳＳがＲＬＳＳと同じである場合、以下の通りである。  
【数１８】
2010523060.tif 000022
【００８６】
上記の電力ブーストを達成するために、一例では、電力制御インターフェース５０２は、ＭＯＤ＿ＲＲＥＱＣＨレジスタのＲＲＥＱＣＨ＿ＰＯＷＥＲフィールド（ｓ１．１４）を次の値に設定することによって、変調器５１２ブロックをプログラミングすることができる。
【００８７】
ｆｌｏｏｒ｛２−（１４−ＲＥＦＬＥＶＥＬ）ｘ１０（ＲＥＱＣｈａｎｎｅ１Ｇａｉｎｊ）／２０ｘ２１４｝この場合、ｓ１．１４形式には、以下の解釈がある。  
【数１９】
2010523060.tif 000023
【００８８】
一観点では、Ｒ−ＣＱＩＣＨおよびＲ−ＲＥＱＣＨと異なり、Ｒ−ＡＣＫＣＨは、ＯＦＤＭ変調を使用して送信することができる。例えば、Ｒ−ＡＣＫＣＨ送信電力は、以下の式に従ってＦＬＳＳについてのみ計算することができる。  
【数２０】
2010523060.tif 000024
【００８９】
ＡＣＫＣｈａｎｎｅｌＧａｉｎＡｄｊｕｓｔｍｅｎｔ  プログラム可能ＯＡ＆Ｍパラメータおよび設定制約は、以下の通りである。  
【数２１】
2010523060.tif 000025
【００９０】
式中、ＩＣＤＭＡは、インジケータ関数である。ＩＣＤＭＡ＝１は、ＲＬ  ＣＤＭＡ制御セグメントを含むＲＬ  ＰＨＹＦｒａｍｅｓを示し、ＩＣＤＭＡ＝０は、ＲＬ  ＣＤＭＡ制御セグメントを含まないＲＬ  ＰＨＹＦｒａｍｅｓを示し、ＮＡＣＫ＝８は、所与のＯＦＤＭシンボルについてのＡＣＫ副搬送波の数を示す。
【００９１】
上記は、ＲＡＣＫ送信ＰＳＤがＲ−ＤＣＨ伝送より熱いＡＣＫＣｈａｎｎｅｌＧａｉｎＡｄｊｕｓｔｍｅｎｔ（ｄＢ）となることを確実にするのを助けることができる。一部の環境で、特にＡＣＫ−ＮＡＣＫ検出が使用不可である環境で、ＡＣＫ−ＮＡＣＫエラーを最低限に抑えるために、Ｒ−ＡＣＫを、Ｒ−ＤＣＨより高いＰＳＤで送る必要がある場合があることを理解されたい。適切な電力でＲ−ＡＣＫ伝送を提供するために、電力制御インターフェース５０２は、Ｒ−ＡＣＫＣＨパケットデスクリプタのＲＡＣＫＣＨ＿ＰＯＷＥＲフィールド（ｓ２．１３）を次の値に設定することによって、変調器ブロック５１２をプログラミングすることができる。  
【数２２】
2010523060.tif 000026
【００９２】
これは、ｓ２．１３形式では、以下の解釈がある。  
【数２３】
2010523060.tif 000027
【００９３】
別の観点によれば、所与のＲＬ−ＡＴＡでは、移動装置５００は、ＲＤＣＨＧａｉｎに比例するファクタによって、ＲＬ  ＣＤＭＡ制御チャネルに関してＲ−ＤＣＨチャネルのディジタル利得を調整することができる。これは、「デルタベースの電力制御」と呼ばれる。一例では、パラメータＲＤＣＨＧａｉｎは、以下で説明されるように、ＣＤＭＡ制御チャネルを含むＲＬフレームについてのみ定義される。
【００９４】
移動装置５００は、ＣＤＭＡ制御セグメントを含むＲＬフレームに対応するＲＬ−ＡＴＡを有する場合、全電力増幅器制限（total power amplifier limitation）によって許可される最も高いＲＤＣＨＧａｉｎを有するＲ−ＤＣＨ副搬送波を送信することができる。ＲＤＣＨＧａｉｎ＞ＲＤＣＨＧａｉｎＭａｘである場合、移動装置５００は、ＲＤＣＨＧａｉｎＭａｘでＲ−ＤＣＨ副搬送波を送信することができる。次に、移動装置５００は、全電力増幅器制限および上記の計算されたＲＤＣＨＧａｉｎを前提として、関連の最大サポート可能副搬送波（Maximum supportable sub-carrier）を計算することができる。最大サポート可能副搬送波が１６トーン未満である場合、移動装置５００は、最大サポート可能副搬送波が１６トーンに等しいと仮定し、対応するＲＤＣＨＧａｉｎを計算する。次いで、移動装置は、ＲＴＣ−ＭＡＣパケットのＭＡＣヘッダーのＩｎＢａｎｄＰｏｗｅｒＣｏｎｔｒｏｌブロックにおけるタプル［ＲＤＣＨＧａｉｎおよびＭａｘＳｕｂＣａｒｒｉｅｒｓ］を報告する。これは、ＡＰ  ＲＬスケジューラアルゴリズムが将来の伝送に適切なＲＬ−ＡＴＡを決定するのを助ける。
【００９５】
移動装置５００は、ＣＤＭＡ制御セグメントを「含まない」ＲＬフレームに対応する有効なＲＬ−ＡＴを有する場合、全電力増幅器制限によって許可される最も高い電力スペクトル密度（このパラメータをＲＤＣＨＧａｉｎＮｏｎＲＬＣＣと呼ぶ）を有するＲ−ＤＣＨ副搬送波を送信することができる。ＲＤＣＨＧａｉｎＮｏｎＲＬＣＣ＞ＲＤＣＨＧａｉｎＭａｘである場合、移動装置５００は、ＲＤＣＨＧａｉｎＭａｘでＲ−ＤＣＨ副搬送波を送信することができる。移動装置５００は、ＲＤＣＨＧａｉｎＭａｘ、全電力増幅器制限、およびＣＤＭＡ制御セグメントを含むＲＬフレームの存在を前提として、最大サポート可能副搬送波を計算することができる。最大サポート可能副搬送波が１６トーン未満である場合、移動装置５００は、最大サポート可能副搬送波が１６トーンに等しいと仮定することができ、対応するＲＤＣＨＧａｉｎを計算する。移動装置４１０は、ＲＴＣ−ＭＡＣパケットのＭＡＣヘッダーのＩｎＢａｎｄＰｏｗｅｒＣｏｎｔｒｏｌブロックにおけるタプル［ＲＤＣＨＧａｉｎおよびＭａｘＳｕｂＣａｒｒｉｅｒｓ］を報告することができる。これは、ＡＰ  ＲＬスケジューラアルゴリズムが将来の伝送に適切なＲＬ−ＡＴＡを決定するのを助ける。
【００９６】
ＣＤＭＡ  ＲＬＣＣを含むＲＬ  ＰＨＹＦｒａｍｅｓの場合、電力制御インターフェース５０２は、ＭＯＤ＿ＦＤ＿ＢＵＦＦの電力密度（ｓ２．１３）を次の値に設定することによって、変調器ブロック５１２をプログラミングすることができる。  
【数２４】
2010523060.tif 000028
【００９７】
これは、ｓ２．１３形式では、以下の解釈がある。  
【数２５】
2010523060.tif 000029
【００９８】
ＣＤＭＡ  ＲＬＣＣを含まないＰＨＹＦｒａｍｅｓの場合、電力制御インターフェース５０２は、ＭＯＤ＿ＦＤ＿ＢＵＦＦの電力密度（ｓ２．１３）を次の値に設定することによって、変調器ブロック５１２をプログラミングすることができる。  
【数２６】
2010523060.tif 000030
【００９９】
これは、ｓ２．１３形式では、以下の解釈がある。  
【数２７】
2010523060.tif 000031
【０１００】
ＲＤＣＨＧａｉｎＮｏｎＲＬＣＣパラメータは、ＲＬ  ＣＤＭＡ制御セグメントを含まない複数のＲＬフレームについてのみ計算されることを理解されたい。
【０１０１】
一観点では、移動装置５００は、（ＩｎＢａｎｄＰｏｗｅｒＣｏｎｔｒｏｌＢｌｏｃｋにおける）ＲＬパケットの帯域内ＭＡＣヘッダーを介してＲＤＣＨＧａｉｎＭａｘについての最大サポート可能副搬送波（ＭａｘＳｕｂＣａｒｒｉｅｒｓ）を報告する。この例外として、最大サポート可能副搬送波（ＭａｘＳｕｂＣａｒｒｉｅｒｓ）が１６未満である場合、ＭａｘＳｕｂＣａｒｒｉｅｒｓは、１６に設定され、ＲＤＣＨＧａｉｎＭａｘ未満の対応するＲＤＣＨＧａｉｎが報告される。上述したように、ＲＤＣＨＧａｉｎは、ＲＬ  ＣＤＭＡ制御セグメントを含むＲＬ  ＰＨＹＦｒａｍｅｓについてのみ計算される。
【０１０２】
一観点によれば、最大サポート可能副搬送波は、Ｎｃ＝Ｎｃ，ｍａｘについて解くことによって計算され、結果として以下が得られる。  
【数２８】
2010523060.tif 000032
【０１０３】
式中、
【数２９】
2010523060.tif 000033
【０１０４】
である。上記で計算されたＮｃ，ｍａｘが１６トーン未満である場合、Ｎｃ，ｍａｘは、１６に等しくなるように設定され、対応するＲＤＣＨＧａｉｎは、次のように計算される。  
【数３０】
2010523060.tif 000034
【０１０５】
閉ループ電力制御の一例では、ＲＬ  ＣＤＭＡチャネルにおける閉ループ電力制御によって、移動装置５００は、ＲＬリンクを閉じることができる。さらに、これは、（制御チャネル上にＨ−ＡＲＱがないため）フェージングおよび干渉を補償するために使用することができる。ＲＬ  ＣＤＭＡチャネル上の閉ループ電力制御は、ＣＤＭＡ制御チャネルにおける「遠近」効果を防ぎ、かつ／または移動装置においてできるだけエネルギーを保持するためにさらに使用することができ、その結果、各ユーザ（例えば移動装置）は、リンクを閉じるのに必要な最小限の電力を送信することができる。さらに、または代わりに、ＲＬ  ＣＤＭＡチャネルにおける閉ループ電力制御は、他のセクタに対する干渉を軽減するために使用することができる。
【０１０６】
閉ループ電力制御は、２つのモード、消去ベースの閉ループ電力制御および／またはアップダウンベースの電力制御で動作することができる。消去ベースの閉ループ電力制御では、移動装置は、アクセスポイントから送られた消去ビットに基づいて、その基準電力を更新する。アップダウンベースの電力制御では、移動装置の基準電力は、アクセスポイントから送られたアップダウン電力制御ビットに基づいて更新される。ＲＬ  ＣＤＭＡ制御チャネル（Ｒ−ＣＱＩＣＨおよびＲ−ＲＥＱＣＨ）は、消去復号を前提として、アクセスポイントによって復号される。以下の性能を、このチャネルにおいて実行することができる。  
・Ｐｒ［Ｅｒａｓｕｒｅ］＜５０％
・ Ｐｒ［Ｅｒｒｏｒ｜Ｎｏｔ  Ｅｒａｓｅｄ］＜０．１％
【０１０７】
消去ベースの電力制御の場合、アクセスポイントは、以下の式に従って、移動装置に消去コマンドを送ることによって、目標の消去レートを確実にすることができる。  
【数３１】
2010523060.tif 000035
【０１０８】
デルタベースの電力制御の一例は、以下の通り実施することができる。所与のＲＬ−ＡＴＡの場合、Ｒ−ＤＣＨチャネルは、ＲＤＣＨＧａｉｎに比例するファクタによって、ＲＬ  ＣＤＭＡ制御チャネルに関して電力ブーストされる。これは、「デルタベースの電力制御」と呼ばれる。デルタベースの電力制御の基本原理は、移動装置が、セル内およびセル間の干渉を作り出すことなく、できるだけ（最大ＰＡ電力）伝送を行うことを望むことである。
【０１０９】
セル内干渉は、ある移動装置の受信電力が、同じＰＨＹＦｒａｍｅにおける隣接する周波数リソースを有する他の移動装置に対して実質的に高いとき、アクセスポイントにおいて、ＩＣＩによってもたらされる。このＩＣＩの影響は、ＲＤＣＨＧａｉｎを係数ＲＤＣＨＧａｉｎＭａｘに制限することによって軽減され、後者は、アクティブ・セット・メッセージ・プロトコルで定義される。一般に、これは、ＲＤＣＨＧａｉｎＭｉｎ＜＝ＲＤＣＨＧａｉｎ＜＝ＲＤＣＨＧａｉｎＭａｘという結果になる。ＲＤＣＨＧａｉｎＭｉｎは、エッジユーザ（例えば移動装置）の最小ターゲットレートを達成するために設定することができる。ＲＤＣＨＧａｉｎＭａｘは、ＩＣＩマージンを満たすために、ＲＤＣＨＧａｉｎＭｉｎに固定することができる。
【０１１０】
セル間干渉は、スーパーフレームプリアンブルで送られた他セクタ干渉（ＯＳＩ）ビット、およびＲＬＳＳ以外のセクタからＦ−ＳＳＣＨで送られたＦａｓｔ  Ｏｔｈｅｒ  ＯＳＩビット、およびこれらのセクタについての測定されたＣｈａｎＤｉｆｆ（あるセクタとＲＬＳＳとの間のパス損失の差）に基づいてＲＤＣＨＧａｉｎパラメータを更新することによって制御することができる。しかし、一部の例では、電力制御のこの観点は、実施されなくてもよいことを理解されたい。
【０１１１】
一観点によれば、アクセスポイントは、ＲＬＡＢで送られたＲＤＣＨＧａｉｎ値で送信するよう移動装置に命じることによって、はみ出し者の移動装置を電力制御することができる。システム容量の観点から、セクタスループットを最大にするために、概念上「強い」ユーザは、高いＲＤＣＨＧａｉｎで送信し、「弱い」ユーザは、低いＲＤＣＨＧａｉｎで送信するべきである。
【０１１２】
ＲＤＣＨＧａｉｎ計算の一例では、ＲＬ  ＣＤＭＡ制御セグメントを含む複数のＲＬフレームについてのＲ−ＤＣＨ、ＰＤＣＨの電力を次のように計算することができる。  
【数３２】
2010523060.tif 000036
【０１１３】
Ｒ−ＡＣＫＣＨ送信電力は、以下の式に従ってＦＬＳＳについてのみ計算することができる。  
【数３３】
2010523060.tif 000037
【０１１４】
一例では、以下の制約を想定することができる。  
【数３４】
2010523060.tif 000038
【０１１５】
したがって、
【数３５】
2010523060.tif 000039
【０１１６】
となる。移動装置電力増幅器制限は、以下の等式をもたらす。  
【数３６】
2010523060.tif 000040
【０１１７】
式中、下付き文字「ＬＩＮ」は、線形ドメインで計算された値を指す。言い換えれば、
【数３７】
2010523060.tif 000041
【０１１８】
であり、したがって、
【数３８】
2010523060.tif 000042
【０１１９】
となる。上記の式を等しいとおくことによって、以下が得られる。  
【数３９】
2010523060.tif 000043
【０１２０】
ＲＤＣＨＧａｉｎＮＯＮＲＬＣＣ計算の一例では、ＲＤＣＨＧａｉｎＮｏｎＲＬＣＣパラメータは、ＲＬ  ＣＤＭＡ制御セグメントを含まないＲＬ  ＰＨＹＦｒａｍｅｓについてのみ計算される。ＣＤＭＡ  ＲＬＣＣを含まないＰＨＹＦｒａｍｅｓについて、Ｒ−ＤＣＨの電力は、次の式に従って計算することができる。  
【数４０】
2010523060.tif 000044
【０１２１】
上記のように同様の説明に従うと、以下が得られる。  
【数４１】
2010523060.tif 000045
【０１２２】
上記で示し、記載したシステム例を鑑み、開示した主題に従って実施され得る方法は、以下のフローチャートを参照すると、より良く理解されよう。説明を簡潔にするために、一連のブロックとして方法を示し、記載しているが、いくつかのブロックは、本明細書に示し、記載したものとは異なる順序で、かつ／または別のブロックと同時に行われてもよいため、クレームされた主題は、ブロックの数または順序によって制限されないことを認識され、理解されたい。さらに、以下に記載する方法を実施するために、示されたすべてのブロックが必要というわけではない場合がある。ブロックに関連付けられている機能は、ソフトウェア、ハードウェア、その組合せ、または他の任意の適した手段（装置、システム、プロセス、構成要素など）で実施できることを理解されたい。さらに、以下および本明細書にわたって開示される方法は、こうした方法を様々な装置に運び、移すことを容易にするために、製品に格納することができることをさらに理解されたい。方法を、代わりに、状態図などに、互いに関係する一連の状態またはイベントとして表すことができることを当業者であれば認識され、理解されよう。
【０１２３】
次に図６を参照すると、無線通信システムにおける複数の変調波形の電力制御のための方法６００が示されている。一部の観点によれば、方法６００は、ＣＤＭＡチャネルおよびＯＦＤＭＡチャネルの両方など、複数の変調波形のチャネルを制御することができる。方法６００は、移動装置がアクセスプローブを送信し、無線通信システム内に含まれるときから、端末が定常状態になるまで、または他の時間中、使用することができる。
【０１２４】
方法６００は、６０２で、基準電力レベルが確立されると、開始する。基準電力レベルは、第１の変調波形（例えばＣＤＭＡ）の逆方向リンク制御チャネルのためのものとすることができる。電力レベルは、開ループ電力制御および閉ループ電力制御を使用することによって確立することができる。開ループ電力制御を使用して、基準電力レベルを設定することは、連続するスーパーフレームプリアンブルインターバル中の逆方向リンクサービングセクタからの平均受信電力の差を使用することを含み得る。閉ループ電力制御を使用して基準電力レベルを設定するのに、２つの方法、消去ベースの閉ループ電力制御およびアップダウンベースの電力制御がある。消去ベースの閉ループ制御では、アクセスポイントから受信された消去ビットは、基準電力レベルを更新するために使用される。アップダウンベースの電力制御では、アクセスポイントから受信されたアップダウン電力制御ビットは、基準電力レベルを更新するために使用される。一部の観点によれば、開ループ電力制御および閉ループ電力制御を使用して第１の変調波形の逆方向リンク制御チャネルについての基準電力レベルを設定することは、ＰＣＴＲＬ＝ＰｒｏｂｅＰｏｗｅｒ＋ＣｔｒｌＡｃｃｅｓｓＯｆｆｓｅｔ（上記の式７）によって与えられる。さらに、または代わりに、基準電力レベルはディジタル−アナログ変換器、アナログフロントエンド、および電力増幅器の設定値を調整することによって更新することができる。
【０１２５】
６０４で、逆方向リンク制御チャネルのディジタル利得は、基準電力レベルの関数として調整される。逆方向リンク制御チャネルは、第２変調波形（例えばＯＦＤＭＡ）の逆方向リンク制御チャネルとすることができる。逆方向リンク制御チャネルのディジタル利得は、逆方向リンク制御チャネル利得に比例するファクタによって調整することができる。一部の観点によれば、ディジタル利得は、逆方向リンクマルチプル変調波形（例えばＯＦＤＭＡ−ＣＤＭＡ）送信機のＩＦＦＴ段階の前の変調器ブロックにおいて適用される。
【０１２６】
６０６で、逆方向リンクデータチャネルのディジタル利得が調整される。逆方向データチャネルは、第２の変調波形の逆方向リンクデータチャネルとすることができる。調整は、６０２で設定された基準電力レベルを基準にすることができる。一部の観点によれば、調整は、逆方向データチャネル利得に比例するファクタによることができる。さらに、または代わりに、ディジタル利得は、逆方向リンクマルチプル変調波形送信機のＩＦＦＴ段階の前の変調器ブロックにおいて適用することができる。
【０１２７】
一部の観点によれば、逆方向リンクデータチャネルおよび逆方向リンク制御チャネルの両方のディジタル利得は、最大所定利得に限定することができる。ディジタル利得を制限することは、無線通信システム内の他の移動装置にもたらされる生成された干渉を軽減することができる。他の観点によれば、第１の変調波形のチャネルが逆方向リンク伝送フレームに存在しない場合、逆方向リンクデータチャネルおよび逆方向リンク制御チャネルの両方のディジタル利得は、電力ブーストすることができる。
【０１２８】
さらに、一部の観点によれば、方法６００は、送信することができる最大数の逆方向リンクデータ副搬送波についての詳細を含み得る帯域内または帯域外のメッセージをアクセスポイントに送信することも含み得る。この最大数の逆方向リンクデータ副搬送波は、電力増幅器の制限および／または最大所定利得制限の要因とすることができる。
【０１２９】
図７は、複数の変調波形の電力制御のための別の方法７００を示す。方法７００は、７０２で、アクセスプローブが送信されると開始する。アクセスプローブは、移動装置がアイドル状態から接続状態に移行することを望むと、送信される。アクセスプローブが送られるとき、移動装置がデータを送信していないため、使用可能なチャネルが１つだけ存在する。アクセスプローブは、ＲＬＳＳからの測定された平均受信電力に比例し得るプローブ電力で送信される。アクセス許可が受信され、正常に復号されるまで、連続したアクセスプローブを、より高い電力レベルで送ることができる。
【０１３０】
アクセスプローブで送るべき初期電力を決定するために、移動装置は、多数のセクタから電力を受信することができる。アクセスプローブを送るべきセクタのみからの電力は、上述したように、アンテナ当り、セクタ当りの平均受信電力、アンテナ当りの推定エネルギー、および上記の式２および式３を参照して決定される。したがって、移動装置は、すべてのセクタから電力の合計を受信する。そのため、移動装置は、セクタ当りの送信電力を決定し、少なくとも１つのセクタを識別する。
【０１３１】
アクセス許可が正常に復号されるのと実質的に同時に、７０４で、第１の変調波形（例えばＣＤＭＡ）の基準チャネルの電力レベルが調整される。第１の変調波形基準チャネルレベルが調整された後、７０６で、他のチャネルの電力設定が、第１の変調波形の制御チャネルに関して調整される。この調整は、ディジタル式に実行することができ、変調器ブロックによって実行することができる。例えば、７０６で、様々なチャネルのディジタル利得を調整することができる。これらのチャネルは、ＲＥＱ、ＣＱＩ、およびＡＣＫ制御チャネルを含む。チャネルのディジタル利得は、第１の変調波形（例えばＣＤＭＡ）のＲＬ基準電力に関してこれらのチャネルが電力ブーストされるように調整することができる。Ｒ−ＤＣＨチャネルのディジタル利得は、ＲＤＣＨＧａｉｎに比例するファクタによって調整することができる。一部の観点によれば、ＲＴＣ−ＭＡＣパケットのＭＡＣヘッダーのＩｎＢａｎｄＰｏｗｅｒＣｏｎｔｒｏｌブロックで、タプルが報告される。
【０１３２】
７０８で、残りの電力がデータチャネルに割り振られる。一部の観点によれば、ＲＤＣＨの追加の利得が調整される。ＲＤＣＨチャネルを調整した後、ＲＤＤＣＨ利得を含むメッセージを基地局に送ることができる。（フィードバック）メッセージは、移動装置で使用可能な電力が与えられると、サポートすることができる帯域幅の基地局を通知する。この情報に基づいて、基地局は、端末でどれだけの電力が使用可能か、どれだけの副搬送波（割り当て）を端末に割り振るべきか、および他の目的を決定することができる。
【０１３３】
端末は、あちこち移動する可能性があり、または端末が受信する電力は、伝搬環境（チャネル）の変化のために、時間が経つにつれて変わる可能性があり、したがって、基準レベルを連続的に監視し、時間が経つにつれて調整することができる。さらに、受信電力も変わり得る。該基準レベルが変わる場合、該電力増幅器の設定は調整され、それはアナログ設定であることができる。
【０１３４】
基地局が、第１の変調波形のチャネルを受信した後、移動装置が送信している電力が高すぎる（または低すぎる）ことを決定した場合、調整を行う必要がある場合がある。調整が必要である場合、基地局は、適切なＦ−ＳＳＣＨを介して送信されるＣＥＩビットを含み得るフィードバックメッセージを送ることができる。受信されたＣＥＩビットが「１」である場合、移動装置は、対応するＰＣＴＲＬをＰｏｗｅｒＣｏｎｔｒｏｌＳｔｅｐＵｐ  ｄＢだけ増やすべきである。受信されたＣＥＩビットが「０」である場合、移動装置は、対応するＰＣＴＲＬをＰｏｗｅｒＣｏｎｔｒｏｌＳｔｅｐＤｏｗｎ  ｄＢだけ減らすべきである。したがって、本明細書に記載された様々な観点は、無線通信環境における複数の変調波形の電力制御に関連する。
【０１３５】
次に図８を参照すると、開示した観点の１つまたは複数によるアクセス端末の電力制御を容易にするシステム８００が示されている。システム８００は、ユーザ装置内に存在し得る。システム８００は、例えば受信機アンテナから信号を受信することができる受信機８０２を備える。受信機８０２は、受信信号をフィルタリングする、増幅する、逓減するなど、一般のアクションを実行することができる。受信機８０２は、サンプルを得るために、調整された信号をディジタル化することもできる。復調器８０４は、シンボル周期ごとに受信シンボルを取得することができると共に、プロセッサ８０６に受信シンボルを提供することができる。
【０１３６】
プロセッサ８０６は、受信機構成要素８０２によって受信された情報を分析し、かつ／または送信機８０８によって送信するための情報を生成するために設けられたプロセッサとすることができる。さらに、または代わりには、プロセッサ８０６は、ユーザ装置８００の１つまたは複数の構成要素を制御し、受信機８０２によって受信された情報を分析し、送信機８０８によって送信するための情報を生成し、かつ／またはユーザ装置８００の１つまたは複数の構成要素を制御することができる。プロセッサ８０６は、追加のユーザ装置との通信をコーディネートすることができるコントローラ構成要素を含み得る。
【０１３７】
ユーザ装置８００は、プロセッサ８０６に動作可能に結合され、電力制御調整、通信のコーディネートに関連する情報、および他の任意の適した情報を格納することができるメモリ８０８をさらに備えることができる。メモリ８１０は、電力制御に関連付けられているプロトコルをさらに格納することができる。本明細書に記載されているデータストア（例えばメモリ）構成要素は、揮発性メモリまたは不揮発性メモリのいずれかとすることができ、または揮発性メモリおよび不揮発性メモリの両方を含み得ることを理解されよう。不揮発性メモリには、それだけには限定されないが一例として、読み取り専用メモリ（ＲＯＭ）、プログラマブルＲＯＭ（ＰＲＯＭ）、電気的プログラマブルＲＯＭ（ＥＰＲＯＭ）、電気的消去可能ＲＯＭ（ＥＥＰＲＯＭ）、フラッシュメモリなどがあり得る。揮発性メモリには、外部キャッシュメモリとして働くランダムアクセスメモリ（ＲＡＭ）などがあり得る。ＲＡＭは、それだけには限定されないが一例として、シンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトラムバスＲＡＭ（ＤＲＲＡＭ）など多くの形態で使用可能である。対象のシステムおよび／または方法のメモリ８０８は、それだけに限定されないが、これらおよび他の任意の適したタイプのメモリを備えるものとする。ユーザ装置８００は、シンボル変調器８１２、および変調された信号を送信する送信機８０８をさらに備えることができる。
【０１３８】
受信機８０２は、開ループ電力制御および閉ループ電力制御を使用して、第１の変調波形の逆方向リンク制御チャネルの基準電力レベルを設定する電力レベル調整器８１４にさらに動作可能に結合される。さらに、受信機８０２は、基準電力レベルに関して第２の変調波形の逆方向リンク制御チャネル、および／または第２の変調波形の逆方向リンクデータチャネルのディジタル利得を設定するディジタル利得調整器８１６に動作可能に結合することができる。
【０１３９】
図９は、無線通信システム９００の例を示す。無線通信システム９００は、簡潔にするために、１つの基地局および１つの端末を示す。しかし、システム９００は、１つを越える基地局またはアクセスポイント、および／または１つを越える端末またはユーザ装置を含むことができ、この場合、基地局および／または端末は、以下で説明される基地局および端末の例と実質的に同じであっても異なっていてもよいことを理解されたい。さらに、基地局および／または端末は、その間の無線通信を容易にするために、本明細書に記載したシステムおよび／または方法を使用することができることを理解されたい。
【０１４０】
次に図９を参照すると、ダウンリンクにおいて、アクセスポイント９０５で、送信（ＴＸ）データプロセッサ９１０は、トラヒックデータを受信し、フォーマットし、符号化し、インターリーブし、変調（またはシンボルマップ）し、変調シンボルシンボル（「データシンボル」）を提供する。シンボル変調器９１５は、データシンボルおよびパイロットシンボルを受信し、処理し、シンボルのストリームを提供する。シンボル変調器９１５は、データおよびパイロットシンボルを多重化し、Ｎ個の送信シンボルの組を取得する。各送信シンボルは、データシンボル、パイロットシンボル、または信号値０とすることができる。パイロットシンボルは、各シンボル周期において連続的に送られ得る。パイロットシンボルは、周波数分割多重化（ＦＤＭ）、直交周波数分割多重化（ＯＦＤＭＡ）、時分割多重化（ＴＤＭ）、周波数分割多重化（ＦＤＭ）、または符号分割多重化（ＣＤＭ）とすることができる。
【０１４１】
送信機ユニット（ＴＭＴＲ）９２０は、シンボルのストリームを受信し、１つまたは複数のアナログ信号に変換し、アナログ信号をさらに調整（例えば、増幅、フィルタリング、周波数アップコンバートなど）して、無線チャネルを介して送信するのに適したダウンリンク信号を生成する。次いで、ダウンリンク信号は、アンテナ９２５を介して端末に送信される。端末９３０で、アンテナ９３５は、ダウンリンク信号を受信し、受信機ユニット（ＲＣＶＲ）９４０に受信信号を提供する。受信機ユニット９４０は、受信信号を調整（例えば、フィルタリング、増幅、周波数ダウンコンバートなど）し、サンプルを取得するために調整された信号をディジタル化する。シンボル復調器９４５は、Ｎ個の受信シンボルを取得し、チャネル推定のために、受信されたパイロットシンボルをプロセッサ９５０に提供する。シンボル復調器９４５は、さらに、プロセッサ９５０からダウンリンクのための周波数レスポンス推定値を受信し、（送信されたデータシンボルの推定値である）データシンボル推定値を取得するために、受信されたデータシンボルに対してデータ復調を実行し、送信されたトラヒックデータを回復するために、データシンボル推定値を復調（すなわちシンボルデマップ）し、デインターリーブし、復号するＲＸデータプロセッサ９５５にデータシンボル推定値を提供する。シンボル復調器９４５およびＲＸデータプロセッサ９５５による処理は、アクセスポイント９０５で、それぞれシンボル変調器９１５およびＴＸデータプロセッサ９１０による処理を補う。
【０１４２】
アップリンクでは、ＴＸデータプロセッサ９６０は、トラヒックデータを処理し、データシンボルを提供する。シンボル変調器９６５は、データシンボルおよびパイロットシンボルを受信し、多重化し、変調を実行し、シンボルのストリームを提供する。次いで、送信機ユニット９７０は、アンテナ９３５によってアクセスポイント９０５に送信されるアップリンク信号を生成するために、シンボルのストリームを受信し、処理する。
【０１４３】
アクセスポイント９０５で、端末９３０からのアップリンク信号は、アンテナ９２５によって受信され、サンプルを取得するために、受信機ユニット９７５によって処理される。次いで、シンボル復調器９８０は、サンプルを処理し、受信されたパイロットシンボルおよびアップリンクのためのデータシンボル推定値を提供する。ＲＸデータプロセッサ９８５は、端末９３０によって送信されたトラヒックデータを回復するために、データシンボル推定値を処理する。プロセッサ９９０は、アップリンク上で送信するアクティブ端末ごとにチャネル推定を実行する。
【０１４４】
プロセッサ９９０および９５０は、それぞれアクセスポイント９０５および端末９３０での操作を指示（例えば、制御、コーディネート、管理・・・）する。それぞれのプロセッサ９９０および９５０は、プログラムコードおよびデータを格納するメモリユニット（図示せず）に関連付けることができる。プロセッサ９９０および９５０は、それぞれアップリンクおよびダウンリンクについての周波数およびインパルスレスポンス推定値を導出するための計算を行うこともできる。
【０１４５】
多元接続システム（例えば、ＦＤＭＡ、ＯＦＤＭＡ、ＣＤＭＡ、ＴＤＭＡなど）では、複数の端末がアップリンク上で同時に送信することができる。こうしたシステムの場合、パイロットサブバンドを異なる端末間で共有することができる。チャネル推定技術は、端末ごとのパイロットサブバンドが動作帯域全体（場合によっては帯域端を除く）にまたがる場合に使用することができる。こうしたパイロットサブバンド構造は、端末ごとに周波数ダイバーシティを取得することが望ましいことになる。本明細書に記載した技術は、様々な手段によって実施することができる。例えば、これらの技術は、ハードウェア、ソフトウェア、またはその組合せに実装されてもよい。ハードウェア実装の場合、チャネル推定に使用される処理装置は、１つまたは複数の特定用途向け集積回路（ＡＳＩＣ）、ディジタル信号プロセッサ（ＤＳＰ）、ディジタル信号処理装置（ＤＳＰＤ）、プログラム可能論理装置（ＰＬＤ）、フィールドプログラマブルゲートアレイ（ＦＰＧＡ）、プロセッサ、コントローラ、マイクロコントローラ、マイクロプロセッサ、本明細書に記載された機能を実行するように設計されている他の電子装置、またはその組合せ内に実装され得る。ソフトウェアでは、実装は、本明細書に記載された機能を実行するモジュール（プロシージャ、関数など）を介することができる。ソフトウェアコードは、記憶装置に格納され、プロセッサ９９０および９５０によって実行され得る。
【０１４６】
図１０を参照すると、異なる変調波形を使用するチャネルの電力を制御するシステム例１０００が示されている。例えば、システム１０００は、移動装置内に少なくとも部分的に存在し得る。システム１００は、プロセッサ、ソフトウェア、またはその組合せ（例えば、ファームウェア）によって実施される機能を表す機能ブロックであり得る機能ブロックを含むものとして表されることを理解されたい。
【０１４７】
システム１０００は、別々に、または共に動作することができる電気構成要素の論理的グループ１００２を含む。例えば、論理的グループ１００２は、基準電力レベル１２０４を設定するための電気構成要素を含み得る。例示によれば、基準電力レベルは、第１の変調波形（例えばＣＤＭＡ）の逆方向リンク制御チャネルのためのものである。基準電力レベルは、開ループ電力制御および閉ループ電力制御を使用することによって設定することができる。閉ループ電力制御は、消去ベースの閉ループ電力制御および／またはアップダウンベースの閉ループ電力制御を含み得る。開ループ電力制御は、連続するスーパーフレームプリアンブルインターバル中の逆方向リンクサービングセクタからの平均受信電力の差を使用することを備えることができる。一部の観点によれば、開ループ電力制御および閉ループ電力制御を使用して基準電力レベルを設定することは、ＰＣＴＲＬ＝プローブ電力＋ＣｔｒｌＡｃｃｅｓｓＯｆｆｓｅｔによって与えられる。一部の観点によれば、基準電力レベルは、ディジタル−アナログ変換器、アナログフロントエンド、および電力増幅器の設定を調整することによって更新することができる。
【０１４８】
論理的グループ１００２は、基準電力レベル１００６の関数として、第２の変調波形（例えばＯＦＤＭＡ）の逆方向リンク制御チャネルのディジタル利得を調整するための電気構成要素も含み得る。第２の変調波形の逆方向リンク制御チャネルのディジタル利得は、逆方向リンク制御チャネル利得に比例するファクタによって調整することができる。
【０１４９】
さらに、論理的グループ１００２は、第２の変調波形１００８の逆方向リンクデータチャネルのディジタル利得を調整するための電気構成要素を備えることができる。例えば、ディジタル利得は、基準電力レベルに関して調整することができる。一部の観点によれば、第２の変調波形の逆方向リンクデータチャネルのディジタル利得は、逆方向リンクデータチャネル利得に比例するファクタによって調整することができる。
【０１５０】
一部の観点によれば、第２の変調波形の逆方向リンクデータチャネルのディジタル利得、および第２の変調波形の逆方向リンク制御チャネルのディジタル利得は、第１の変調波形のチャネルが逆方向リンク伝送フレームに存在しない場合、電力ブーストされる。一部の観点によれば、第２の変調波形の逆方向リンクデータチャネルのディジタル利得、および第２の変調波形の逆方向リンク制御チャネルのディジタル利得は、生成された干渉の量を軽減するために、最大所定利得に限定される。
【０１５１】
さらに、または代わりに、論理的グループは、帯域内または帯域外のメッセージ（図示せず）を送信する手段を含み得る。帯域内または帯域外のメッセージは、送信することができる最大数の逆方向リンクデータ副搬送波についての詳細を含み得る。最大数の逆方向リンクデータ副搬送波は、電力増幅器制限および最大所定利得制限をかけられ得る。
【０１５２】
さらに、システム１０００は、電気構成要素１００４、１００６、および１００８、または他の構成要素と関連付けられている機能を実行するための命令を保持するメモリ１０１０を含み得る。メモリ１０１０の外にあるものとして示されているが、電気構成要素１００４、１００６、および１００８のうちの１つまたは複数は、メモリ１０１０内に存在してもよいことを理解されたい。
【０１５３】
本明細書に記載されている実施形態は、ハードウェア、ソフトウェア、ファームウェア、ミドルウェア、マイクロコード、またはその任意の組合せによって実装され得ることを理解されたい。システムおよび／または方法は、ソフトウェア、ファームウェア、ミドルウェアまたはマイクロコード、プログラムコードまたはコードセグメントにおいて実装されるとき、ストレージ構成要素など、機械可読媒体に格納することができる。コードセグメントは、プロシージャ、関数、サブプログラム、プログラム、ルーチン、サブルーチン、モジュール、ソフトウェアパッケージ、クラス、あるいは命令、データ構造、またはプログラムステートメントの任意の組合せを表し得る。情報、データ、引数、パラメータ、またはメモリコンテンツを渡し、かつ／または受信することによって、コードセグメントを別のコードセグメントまたはハードウェア回路に結合することができる。メモリ共有、メッセージパッシング、トークンパッシング、ネットワーク伝送などを含む任意の適した手段を使用して、情報、引数、パラメータ、データなどを渡し、転送し、または送信することができる。
【０１５４】
本明細書に開示した観点との関連で説明した、例示の様々なロジック、論理ブロック、モジュール、および回路を、汎用プロセッサ、ディジタル信号プロセッサ（ＤＳＰ）、特定用途向け専用回路（ＡＳＩＣ）、フィールドプログラマブルゲートアレイ（ＦＰＧＡ）または他のプログラム可能論理装置、個別のゲートまたはトランジスタロジック、個別のハードウェア構成要素、または本明細書に記載した機能を実行するよう設計されているその任意の組合せで実装し、または実行することができる。汎用プロセッサは、マイクロプロセッサとすることができるが、代替では、プロセッサは、従来の任意のプロセッサ、コントローラ、マイクロコントローラ、または状態機械とすることができる。プロセッサは、コンピューティング装置の組合せ、例えば、ＤＳＰとマイクロプロセッサとの組合せ、複数のマイクロプロセッサ、ＤＳＰコアと連携する１つまたは複数のマイクロプロセッサ、または他の任意のこうした構成として実装することもできる。さらに、少なくとも１つのプロセッサは、上述したステップおよび／またはアクションの１つまたは複数を実行するよう動作可能な１つまたは複数のモジュールを備えることができる。
【０１５５】
ソフトウェア実装の場合、本明細書に記載されている技術は、本明細書に記載されている機能を実行するモジュール（プロシージャ、関数など）により実装され得る。ソフトウェアコードは、記憶装置に格納され、プロセッサによって実行され得る。記憶装置は、プロセッサの内部または外部に実装されてもよく、この場合、これは、当業者に知られている様々な手段を介してプロセッサに通信可能に結合され得る。さらに、少なくとも１つのプロセッサは、本明細書に記載した機能を実行するよう動作可能な１つまたは複数のモジュールを含み得る。
【０１５６】
さらに、本明細書に記載した様々な観点または特徴は、標準プログラミングおよび／または工学技術を使用して、方法、装置、または製品として実装することができる。「製品」という用語は、本明細書で使用される場合、任意のコンピュータ可読装置、キャリア、または媒体からアクセス可能なコンピュータプログラムを含むものとする。例えば、コンピュータ可読媒体には、それだけには限定されないが、磁気記憶装置（ハードディスク、フロッピー（登録商標）ディスク、磁気ストライプなど）、光ディスク（コンパクトディスク（ＣＤ）、ディジタル多用途ディスク（ＤＶＤ）など）、スマートカード、およびフラッシュメモリ装置（ＥＰＲＯＭ、カード、スティック、キードライブ（key drive）など）などがあり得る。さらに、本明細書に記載される様々な記憶媒体は、情報を格納するための１つまたは複数の装置および／または他の機械可読媒体を表すことができる。「機械可読媒体」という用語は、それだけには限定されないが、無線チャネル、ならびに命令および／またはデータを格納し、含み、かつ／または運ぶことができる他の様々な媒体を含み得る。さらに、コンピュータプログラム製品は、本明細書に記載されている機能をコンピュータに実行させるよう動作可能な１つまたは複数の命令またはコードを有するコンピュータ可読媒体を含み得る。
【０１５７】
さらに、本明細書に開示した観点との関連で記載した方法またはアルゴリズムのステップおよび／またはアクションは、ハードウェア、プロセッサによって実行されるソフトウェアモジュール、またはその２つの組合せに直接組み込むことができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し式ディスク、ＣＤ−ＲＯＭ、または当分野で知られている記憶媒体の他の任意の形式に存在し得る。代表的な記憶媒体は、プロセッサが記憶媒体から情報を読み取り、そこに情報を書き込むことができるように、プロセッサに結合することができる。代替では、記憶媒体は、プロセッサに一体化されていてもよい。さらに、一部の代替では、プロセッサおよび記憶媒体は、ＡＳＩＣに存在していてもよい。さらに、ＡＳＩＣは、ユーザ端末に存在していてもよい。代替では、プロセッサおよび記憶媒体は、ユーザ端末に、個別の構成要素として存在していてもよい。さらに、一部の観点において、方法またはアルゴリズムのステップおよび／またはアクションは、コードおよび／または命令の１つのまたは任意の組合せまたは組として、機械可読媒体、および／またはコンピュータプログラム製品に組み込むことができるコンピュータ可読媒体に存在していてもよい。
【０１５８】
上記で説明してきたことは、１つまたは複数の実施形態の例を含む。当然、上述した実施形態を説明するために構成要素または方法の予想されるすべての組合せについて説明することは不可能であるが、様々な実施形態の他の多くの組合せおよび置換えが可能であることを当業者であれば理解できよう。したがって、記載した実施形態は、添付の特許請求の範囲に含まれるすべての代替形態、変更形態、および変形形態を含むものとする。「含む」という用語が詳細な説明または特許請求の範囲で使用されている限り、こうした用語は、請求項で移行語として使用されるときに「備える」が解釈される「備える」という用語と同じように包含的であるものとする。さらに、「または」という用語が本願請求項や詳細な説明のいずれかに使用されている場合、「包括的なまたは」となるように意図されている。
【図１】
2010523060.tif 000046
【図２】
2010523060.tif 000047
【図３】
2010523060.tif 000048
【図４】
2010523060.tif 000049
【図５】
2010523060.tif 000050
【図６】
2010523060.tif 000051
【図７】
2010523060.tif 000052
【図８】
2010523060.tif 000053
【図９】
2010523060.tif 000054
【図１０】
2010523060.tif 000055
【国際調査報告】
2010523060.tif 000056
2010523060.tif 000057
2010523060.tif 000058